(57)【要約】【課題】利便性に優れた加熱調理器を提供すること。【解決手段】加熱調理器６１は、調理器本体１と、調理器本体１に載置された被加熱物を加熱する加熱部８と、使用者の入力操作を受け付ける上面操作部３と、使用者の画像情報を検出する画像情報検出部１５、及び画像情報をもとに認証用データを生成する認証データ生成部１６を有する認証部５と、加熱部８の動作状況を出力する情報出力部１９と、加熱部８、上面操作部３、及び情報出力部１９の少なくとも１つの動作を制御する制御部１７と、を有し、制御部１７は、認証用データに合致する登録認証データが存在すると判定した場合に、当該登録認証データに関連づけられた設定内容に基づいて、加熱部８、上面操作部３、及び情報出力部１９の少なくとも１つを制御するものである。【選択図】図３
2016128733.tif 000002
【特許請求の範囲】
【請求項１】
調理器本体と、
前記調理器本体に載置された被加熱物を加熱する加熱部と、
使用者の入力操作を受け付ける操作部と、
前記使用者の個人認証に用いる認証用データを生成する認証部と、
前記加熱部の動作状況を出力する情報出力部と、
前記加熱部、前記操作部、及び前記情報出力部の動作を制御する制御部と、
を有し、
前記認証部は、
前記使用者の画像情報を検出する画像情報検出部と、
前記画像情報をもとに前記認証用データを生成する認証データ生成部と、
を有し、
前記制御部は、
前記認証部において予め生成された認証用データが前記使用者の登録認証データとして登録され、かつ当該登録認証データに関連づけられた前記加熱部、前記操作部、及び前記情報出力部の少なくとも１つを動作させる際の設定内容が記憶された記憶部と、
前記認証部において生成された認証用データと前記記憶部に登録された登録認証データとを照合し、前記認証用データに合致する登録認証データが存在するか否かを判定する照合判定部と、
前記照合判定部において前記認証用データに合致する登録認証データが存在すると判定された場合に、前記登録認証データに関連づけられた前記設定内容に基づいて、前記加熱部、前記操作部、及び前記情報出力部の少なくとも１つを制御する動作制御部と、
を有する加熱調理器。
【請求項２】
前記画像情報検出部と前記認証データ生成部とが分離して配置されていることを特徴とする請求項１に記載の加熱調理器。
【請求項３】
前記調理器本体には、複数の前記画像情報検出部が配置されており、
前記認証データ生成部は、複数の前記画像情報検出部の各々から取得した前記画像情報を組み合わせて前記認証用データを生成する請求項１又は２に記載の加熱調理器。
【請求項４】
前記調理器本体は、上面にガラス板を有しており、
前記画像情報検出部は、前記ガラス板の直下に設けられている請求項１〜３の何れか一項に記載の加熱調理器。
【請求項５】
前記調理器本体は、内部に外気を取り込む吸気口と、前記吸気口から内部に取り込んだ空気を排出する排気口を有しており、
前記画像情報検出部は、前記吸気口又は前記排気口に隣接する位置に設けられている請求項１〜３の何れか一項に記載の加熱調理器。
【請求項６】
前記操作部は、上面操作部と前面操作部とを有し、
前記認証部は、前記上面操作部又は前記前面操作部に設けられている請求項１〜３の何れか一項に記載の加熱調理器。
【請求項７】
前記調理器本体は、前記画像情報検出部の上部に透明な認証窓を有している請求項１〜６の何れか一項に記載の加熱調理器。
【請求項８】
前記認証窓は、前記調理器本体の奥側から手前側に広く開口しており、
前記画像情報検出部は、
前記使用者の像を結像させるレンズと、
前記レンズによって結像された像を電気信号に変換して前記画像情報を検出するイメージセンサと、
を有しており、
前記レンズ及び前記イメージセンサは、前記画像情報検出部内において前記調理器本体の奥側に配置されている請求項７に記載の加熱調理器。
【請求項９】
前記画像情報検出部は、
前記使用者の像を結像させるレンズ及び前記レンズによって結像された像を電気信号に変換して前記画像情報を検出するイメージセンサを内包する格納部と、
前記格納部を駆動する駆動部と、
を有し、
前記制御部は、前記画像情報検出部が前記画像情報を検出する際に、前記レンズ及び前記イメージセンサによる検出範囲が前記調理器本体の手前側の斜め上方となるように、前記格納部を前記調理器本体の上面から露出させる露出指令信号を前記駆動部に送信する請求項１〜７の何れか一項に記載の加熱調理器。
【請求項１０】
前記イメージセンサは、ＭＯＳ型固体イメージセンサ又はＣＣＤイメージセンサからなる固体撮像素子である請求項８又は９に記載の加熱調理器。
【請求項１１】
前記画像情報検出部は、前記調理器本体の手前側の斜め上方を検出範囲とするように配置されている請求項１〜８の何れか一項に記載の加熱調理器。
【請求項１２】
前記画像情報検出部は、前記調理器本体よりも上方の位置に、前記調理器本体から分離して配置されている請求項１〜１０の何れか一項に記載の加熱調理器。
【請求項１３】
前記画像情報検出部は、前記調理器本体の上方に設けられた換気扇に配置され、かつ前記調理器本体の手前側の斜め下方を検出範囲とするように配置されている請求項１〜１０の何れか一項に記載の加熱調理器。
【請求項１４】
前記制御部は、前記操作部において選択された機能又はメニューを操作履歴情報として前記登録認証データに関連づけして前記記憶部に記憶させる操作処理部をさらに有し、
前記動作制御部は、前記操作履歴情報のうち、利用頻度の高い機能又はメニューを出力する機能を有する請求項１〜１３の何れか一項に記載の加熱調理器。
【請求項１５】
前記情報出力部は、文字を表示する表示部を有し、
前記記憶部には、前記設定内容として文字の表示形態を示す文字のサイズ、字体、色、言語のうちの少なくとも一つが記憶されており、
前記動作制御部は、前記文字の表示形態を参照して前記表示部に文字を表示させる請求項１〜１４の何れか一項に記載の加熱調理器。
【請求項１６】
前記情報出力部は、音を出力する報知部を有し、
前記記憶部には、前記設定内容として音の出力形態を示す音の強弱、大きさ、高さ、スピード、言語のうちの少なくとも一つが予め記憶されており、
前記動作制御部は、前記出力形態を参照して前記報知部から音を報知させる請求項１〜１５の何れか一項に記載の加熱調理器。
【請求項１７】
前記記憶部には、前記設定内容として前記加熱部の火力又は温度の上限情報が記憶されており、
前記動作制御部は、前記登録認証データに対応づけられた前記加熱部の火力又は温度の上限情報に基づいて前記加熱部の動作を制御する請求項１〜１６の何れか一項に記載の加熱調理器。
【請求項１８】
前記記憶部には、前記設定内容として調理モードを制限するモード制限情報が記憶されており、
前記動作制御部は、前記モード制限情報を参照して利用できる調理モードを制限する機能を有する請求項１〜１７の何れか一項に記載の加熱調理器。
【請求項１９】
前記記憶部には、前記設定内容中の複数の項目を組み合わせた複数の設定パターンが予め格納されており、
前記動作制御部は、複数の前記設定パターンの何れか１つに基づく制御を実行する請求項１〜１８の何れか一項に記載の加熱調理器。
【請求項２０】
前記動作制御部は、
前記設定内容が前記登録認証データに基づいて決定される個人モードと、前記設定内容が予め設定された基本設定に基づいて決定される基本モードと、
を有し、
前記操作部からの切替要求に応じて前記個人モードと前記基本モードとを切り替えて制御することを特徴とする請求項１〜１９の何れか一項に記載の加熱調理器。
【請求項２１】
前記動作制御部は、起動時に、前記個人モードと前記基本モードとの切替を制限して、何れか一方の設定モードによる動作に限定する機能を有することを特徴とする請求項２０に記載の加熱調理器。
【請求項２２】
前記動作制御部は、前記照合判定部による前記認証用データに合致する登録認証データが存在するか否かの判定の結果を前記情報出力部に出力させる機能を有することを特徴とする請求項１〜２１の何れか一項に記載の加熱調理器。
【請求項２３】
前記動作制御部は、前記照合判定部において前記認証用データに合致する登録認証データが存在する旨判定された場合に、前記判定の結果が正しいか否かの確認を前記使用者が行うためのガイドを前記情報出力部に出力させる機能を有することを特徴とする請求項１〜２２の何れか一項に記載の加熱調理器。
【請求項２４】
外部機器との通信を行う通信部をさらに有し、
前記動作制御部は、前記外部機器から前記通信部を介して取得した制御信号に基づいて動作する機能を有することを特徴とする請求項１〜２３の何れか一項に記載の加熱調理器。
【請求項２５】
外部機器との接続によりネットワークを構築する集中コントローラを介して前記外部機器との通信を行う通信部をさらに有し、
前記動作制御部は、前記外部機器から前記通信部を介して取得した制御信号に基づいて動作する機能を有することを特徴とする請求項１〜２３の何れか一項に記載の加熱調理器。
【請求項２６】
前記記憶部には、前記登録認証データに関連づけられた前記外部機器の情報が登録されており、
前記動作制御部は、前記外部機器から前記通信部に入力された制御信号に応じて動作状況を示す動作状況データを返信する機能を有する請求項２４又は２５に記載の加熱調理器。
【請求項２７】
前記記憶部には、前記認証部において生成された認証用データに、前記記憶部に記憶された情報を管理する管理者のデータを関連づけて、前記管理者の登録認証データとして登録されており、
前記照合判定部は、前記認証部において生成された認証用データが、前記記憶部に登録された前記管理者の登録認証データと合致するか否かを判定する機能を有し、
前記動作制御部は、前記照合判定部において前記管理者の登録認証データと合致すると判定された場合に、前記操作部を介しての当該管理者からの要求に応じて、前記記憶部に記憶された情報を変更する機能を有する請求項１〜２６の何れか一項に記載の加熱調理器。
【請求項２８】
前記記憶部には、前記記憶部に記憶された情報を管理する管理者の所有する前記外部機器の情報が前記登録認証データに関連づけられて記憶されており、
前記動作制御部は、前記管理者の所有する前記外部機器から前記通信部に入力された制御信号に基づいて、前記記憶部に記憶された情報を変更する機能を有する請求項２４〜２６の何れか一項に記載の加熱調理器。
【請求項２９】
前記通信部は、一定期間電力が供給されなかった場合に、前記管理者の所有する前記外部機器に向けて、一定期間電力が供給されなかった旨の信号を発信する機能を有する請求項２８に記載の加熱調理器。
【請求項３０】
前記記憶部には、前記管理者に選定された使用者の登録認証データが予め記憶されており、
前記動作制御部は、前記照合判定部によって前記認証用データに合致する登録認証データが存在すると判定されたとき、当該登録認証データに対応する使用者が前記選定された使用者であった場合に、動作状況を示す動作状況データを前記管理者の所有する前記外部機器に配信する機能を有することを特徴とする請求項２８又は２９に記載の加熱調理器。
【発明の詳細な説明】
【技術分野】
【０００１】
本発明は、一般家庭のキッチン、集合施設の調理場等に用いられる加熱調理器に関する。
【背景技術】
【０００２】
従来から、加熱調理器の分野では、ＩＤ番号又は生体認証を用いた個人認証によって利用者を特定し、特定した利用者の登録情報に基づいて個人別の制御を行う技術が知られている。また、個人別のお気に入りメニューを登録しておき、個人認証により特定された使用者に対して、登録されたお気に入りメニューを優先的に表示する技術も提案されている。
【０００３】
例えば、特許文献１の加熱調理器では、使用者の使用履歴を記録しておき、記録された使用履歴と現在の調理状況とを比較することで、使用者の操作状態が通常状態又は非通常状態の何れの状態にあるかを判断し、非通常状態にあれば、加熱の自動停止を通常よりも早く行うといった制御を採用している。また、特許文献２の加熱調理器では、使用者毎のお気に入りメニューを使用者の情報に対応づけて記録しておき、加熱調理に際して、使用者が表示画面上で自己を特定することにより、該使用者のお気に入りメニューのみを表示するという技術を採用している。
【先行技術文献】
【特許文献】
【０００４】
【特許文献１】特許第５４１４９０１号公報
【特許文献２】特開２００３−２８４２９号公報
【発明の概要】
【発明が解決しようとする課題】
【０００５】
しかしながら、特許文献１の加熱調理器では、通常状態であるか否かの判断を機械的に行うため、個々の使用者の意思を反映することができず、使用者の望む設定とは必ずしも一致しないという課題がある。また、特許文献２の加熱調理器は、使用者が表示画面上で自己を特定した際にお気に入りメニューが表示される、という構成を採っており、すなわち、表示画面上において使用者自身が自己を特定する必要があるため、操作が煩雑になるといった課題がある。
【０００６】
本発明は、上記課題に鑑みてなされたものであり、利便性を向上させることができる加熱調理器を提供することを目的とする。
【課題を解決するための手段】
【０００７】
本発明に係る加熱調理器は、調理器本体と、調理器本体に載置された被加熱物を加熱する加熱部と、使用者の入力操作を受け付ける操作部と、使用者の個人認証に用いる認証用データを生成する認証部と、加熱部の動作状況を出力する情報出力部と、加熱部、操作部、及び情報出力部の動作を制御する制御部と、を有し、認証部は、使用者の画像情報を検出する画像情報検出部と、画像情報をもとに認証用データを生成する認証データ生成部と、を有し、制御部は、認証部において予め生成された認証用データが使用者の登録認証データとして登録され、かつ登録認証データに関連づけられた加熱部、操作部、及び情報出力部の少なくとも１つを動作させる際の設定内容が記憶された記憶部と、認証部において生成された認証用データと記憶部に登録された登録認証データとを照合し、認証用データに合致する登録認証データが存在するか否かを判定する照合判定部と、照合判定部において認証用データに合致する登録認証データが存在すると判定された場合に、登録認証データに関連づけられた設定内容に基づいて、加熱部、操作部、及び情報出力部の少なくとも１つを制御する動作制御部と、を有するものである。
【発明の効果】
【０００８】
本発明は、使用者の画像情報に基づく個人認証を行い、認証された使用者に対して固有の設定内容を提供するため、利便性を向上させることができる。
【図面の簡単な説明】
【０００９】
【図１】本発明の実施の形態１に係る加熱調理器の外観を示す斜視図である。
【図２】図１の加熱調理器の上面を示す概略図である。
【図３】図１の加熱調理器の内部構成を示す概要図である。
【図４】図１の加熱調理器が有する認証部の構成を示す概略図である。
【図５】図１の加熱調理器が有する制御部の機能構成を示すブロック図である。
【図６】図１の加熱調理器による使用者情報の登録画面を例示する表である。
【図７】図１の加熱調理器による表示設定の入力画面を例示する表である。
【図８】図１の加熱調理器による音声設定の入力画面を例示する表である。
【図９】図１の加熱調理器によるお好みメニュー設定の入力画面を例示する表である。
【図１０】本発明の実施の形態１に係る他の加熱調理器の内部構成を示す概略図である。
【図１１】図１の加熱調理器による認証時の動作を示すフローチャートである。
【図１２】図１の加熱調理器による認証用データの登録時における動作を示すフローチャートである。
【図１３】本発明の実施の形態１の変形例１における表示設定画面を例示する表である。
【図１４】本発明の実施の形態１の変形例１における表示設定及び音声設定の入力画面を例示する表である。
【図１５】本発明の実施の形態１の変形例２の簡易登録用設定画面を例示する表である。
【図１６】本発明の実施の形態１の変形例２の簡易登録処理を示すフローチャートである。
【図１７】本発明の実施の形態１の変形例３における設定モードの切替処理を示すフローチャートである。
【図１８】本発明の実施の形態１の変形例４のセルフチェック処理を示すフローチャートである。
【図１９】本発明の実施の形態１の変形例５の限定モード処理を示すフローチャートである。
【図２０】本発明の実施の形態２に係る加熱調理器の上面を示す概略図である。
【図２１】本発明の実施の形態３に係る加熱調理器の上面を示す概略図である。
【図２２】図２１の加熱調理器が有する認証部の内部構成を示す概略図である。
【図２３】本発明の実施の形態４に係る加熱調理器の上面を示す概略図である。
【図２４】図２３における認証部の内部構成のうち、収納時の様子を示す概略図である。
【図２５】図２３における認証部の内部構成のうち、認証時の様子を示す概略図である。
【図２６】本発明の実施の形態５に係る加熱調理器の上面を示す概略図である。
【図２７】本発明の実施の形態６に係る加熱調理器と外部に設けた画像情報検出部とを示す概略図である。
【図２８】本発明の実施の形態７に係る加熱調理器と換気扇に設けられた画像情報検出部とを示す概略図である。
【図２９】本発明の実施の形態８に係る加熱調理器における外部通信手段のイメージを示す概略図である。
【図３０】本発明の実施の形態９に係る加熱調理器おけるホームネットワークシステムのイメージを示す概略図である。
【発明を実施するための形態】
【００１０】
［実施の形態１］
図１は、本発明の実施の形態１に係る加熱調理器６１の外観を示す斜視図である。図２は、加熱調理器６１の上面を示す概略図である。図１及び図２に示すように、加熱調理器６１は、天面が開口された箱状の調理器本体１と、調理器本体１の上面に取り付けられたトッププレート２と、調理器本体１の上面に配置された上面操作部３と、調理器本体１の前面に配置された前面操作部４と、を有している。
【００１１】
また、加熱調理器６１は、調理器本体１の上面後方に配置され、使用者の個人認証に用いる認証用データを生成する認証部５と、調理器本体１の左下方に配置されたグリル庫６と、調理器本体１の上面前方に配置された上面主電源スイッチ７ａと、操作部としての前面操作部４の上部に配置された前面主電源スイッチ７ｂと、ガラス板２ａに載置された被加熱物（図示せず）をガラス板２ａの下方から誘導加熱する誘導加熱コイルからなる加熱部８〜１０と、を有している。
【００１２】
トッププレート２は、耐熱性のガラス板２ａと金属の枠体２ｂとにより構成され、ガラス板２ａには、鍋又はフライパンなどの被加熱物が載置される。認証部５は、ガラス板２ａに設けられた認証窓３８の下方に設置されている。上面主電源スイッチ７ａと前面主電源スイッチ７ｂとは、いずれも、加熱調理器６１の主電源のオン（閉）・オフ（開）操作を受け付けるものである。加熱部８〜１０は、被加熱物をガラス板２ａの下方から誘導加熱する誘導加熱コイルからなる。
【００１３】
ガラス板２ａの表面には、加熱部８〜１０が配設される位置に、加熱領域を示す円形の加熱口２４Ｒ、２４Ｌ、２４Ｍが印刷等によって形成されている。トッププレート２の右側には加熱口２４Ｒが形成され、左側には加熱口２４Ｌが形成され、中央後方側には加熱口２４Ｍが形成されている。
【００１４】
操作部としての上面操作部３は、例えば液晶表示装置と静電容量式のタッチセンサとを含んで構成されたタッチパネルである。上面操作部３は、制御部１７の制御のもと、操作画面等を適宜切り替えて表示するものである。上面操作部３は、飾り枠２６によって囲まれており、加熱調理器６１の全体に関する操作用のメイン操作部２７と、加熱部８の加熱調理に関する操作用の右ＩＨ操作部２８Ｒと、加熱部９の加熱調理に関する操作用の中央後方ＩＨ操作部２８Ｍと、加熱部１０の加熱調理に関する操作用の左ＩＨ操作部２８Ｌと、グリル庫６の加熱調理に関する操作用のグリル操作部２８Ｇと、により構成されている。トッププレート２の上面前部において、調理器本体１の左右中心線を挟んで、右側には右ＩＨ操作部２８Ｒが配置され、中央部にはメイン操作部２７と、中央後方ＩＨ操作部２８Ｍと、グリル操作部２８Ｇとが配置され、左側には左ＩＨ操作部２８Ｌが配置されている。
【００１５】
メイン操作部２７は、加熱調理器６１のモード設定又は認証に関する個人情報の登録を行う際に使用者が操作するスイッチを備えている。右ＩＨ操作部２８Ｒ、左ＩＨ操作部２８Ｌ、中央後方ＩＨ操作部２８Ｍは、それぞれ、加熱部８〜１０による加熱調理の開始・停止操作用の切入スイッチと、加熱部８〜１０による加熱調理の火力設定用の火力設定スイッチと、所望の時間経過後に加熱調理を停止させるタイマー調理モードの設定又は実行用の切タイマースイッチとを備えている。グリル操作部２８Ｇは、グリルヒータによる加熱調理の開始又は停止操作用の切入スイッチと、グリルヒータによる加熱調理に関する設定の入力用の手動調理スイッチ及び自動調理スイッチとを備えている（上記各スイッチについては図示せず）。
【００１６】
図３は、加熱調理器６１の内部構成を示す概略図である。図３に示すように、調理器本体１内には、被加熱物の温度を検知（測定）する温度センサ１１ａ、１１ｂ、１２と、温度センサ１１ａ、１１ｂ、１２からの検知信号に基づいて被加熱物の温度を検出する温度検出装置１３と、加熱調理器６１を駆動するための電力を供給する電源部１４と、加熱調理器６１の使用者を特定するための認証用データを生成する認証部５と、が設けられている。認証部５は、認証窓３８の直下に設けられた画像情報検出部１５と、画像情報検出部１５において検出された画像情報をもとに、加熱調理器６１の使用者を特定するための認証用データを生成する認証データ生成部１６と、を有している。なお、画像情報検出部１５は、ガラス板２ａの直下に設け、調理器本体１が認証窓３８を有しないように構成してもよい。
【００１７】
また、調理器本体１内には、マイクロコンピュータ等で構成され加熱調理器６１の動作を制御する制御部１７と、高周波インバータからなり、制御部１７によって制御されるインバータ回路１８と、加熱部８〜１０の動作状況を出力する情報出力部１９と、グリルヒータ駆動回路３７及びグリル庫６と、が配置されている。情報出力部１９には、表示駆動回路２０及び表示部２１と、音声合成装置２２及びスピーカ２３と、が設けられている。
【００１８】
本実施の形態１における加熱調理器６１では、個人認証用に検出する情報として画像情報を採用したため、使用者は、電源をオンした後、加熱調理器６１の前に立っていればよく、すなわち、認証場所を使用者に意識させる必要がない。このため、画像情報検出部１５は、加熱部８〜１０及び表示部２１の配置に影響しない箇所であれば、ガラス板２ａの下方における調理器本体１内の任意の場所に配置することができる。
【００１９】
温度センサ１１ａ、１１ｂは、トッププレート２のガラス板２ａの下方に密着するように設けられた接触式の温度センサ（例えばサーミスタ）であり、加熱部８により誘導加熱される被加熱物（図示せず）の温度上昇を、ガラス板２ａを介して検知するものである。接触式の温度センサは、加熱部８の周囲又はその内側の空間部に１個又は複数個ずつ配置されるものであり、図３では、便宜上２つの温度センサ１１ａ、１１ｂを例示している。温度センサ１２は、被加熱物の底面から放射される赤外線量に応じて被加熱物の温度を検知する非接触式センサ（赤外線温度センサ）である。
【００２０】
温度検出装置１３は、各温度センサ１１ａ、１１ｂ、１２からの信号を処理し、測定物の温度を検出する温度検出回路である。温度検出装置１３は、検出した測定物の温度をリアルタイムで制御部１７に伝達する。制御部１７は、温度検出装置１３での検出結果を取得することにより、被調理物の入った被加熱物の温度状態又はトッププレート２の下方空間の温度などを監視するものである。
【００２１】
図３には、加熱部８及び加熱部８に対応するインバータ回路１８を示しているが、インバータ回路１８は加熱部８〜１０の各々に対応づけて設けられている。加熱部８〜１０は、渦巻状に巻かれたコイルにより構成されており、各インバータ回路１８から高周波電流が供給されることにより、トッププレート２に載置された被加熱物を誘導加熱するものである。加熱部９、１０の周囲にも、温度センサ１１ａ、１１ｂ、１２と同様の各種温度センサと温度検出装置１３と同様の温度検出回路が配置されている。また、グリル庫６にも温度センサ（図示せず）が設置されており、温度センサは、検出温度を制御部１７に伝達する。すなわち、制御部１７は、グリル庫６に設けられた温度センサから取得した検出温度に基づいて、グリルヒータのオン・オフ又は通電率制御を行うものである。
【００２２】
電源部１４に電源を投入するために、使用者が上面主電源スイッチ７ａ又は前面主電源スイッチ７ｂを押すと、上面主電源スイッチ７ａ又は前面主電源スイッチ７ｂの下方にある機械的接点が開放又は閉成し、電源部１４から制御部１７に所定の電力が供給される。制御部１７は、電源部１４から定電圧回路（図示せず）を介して供給された直流電源により起動して制御動作を開始する。また、上面操作部３及び前面操作部４は、使用者の入力操作を受け付け、受け付けた入力内容に基づく信号（操作信号）を制御部１７に送信するものである。すなわち、制御部１７は、上面主電源スイッチ７ａ又は前面主電源スイッチ７ｂがオンされて起動した後、上面操作部３及び前面操作部４からの操作信号、各種センサ（温度センサ）１１ａ、１１ｂ、１２からの検知信号、又は認証部５からの認証用データ等が入力された場合に、予め設定されたプログラム等に従って各構成部材（加熱部８〜１０を含む）を制御するものである。
【００２３】
電源部１４は、制御部１７による制御に応じて商用電源７０からの電力を、インバータ回路１８、グリルヒータ駆動回路３７及び上記定電圧回路等に供給する。インバータ回路１８は、制御部１７からの加熱指令に応じて、電源部１４から供給される電力を変換し、加熱部８と共振コンデンサ(図示せず)とを接続した回路に高周波電流を供給する。加熱部９、１０も、制御部１７によって加熱部８と同様に制御される。なお、電源部１４から各インバータ回路１８を介した加熱部８〜１０への電力供給は、制御部１７が各インバータ回路１８ごとにオン・オフ制御を行うことで実現される。
【００２４】
表示駆動回路２０は、制御部１７からの指示に従い、例えばＬＣＤからなる表示部２１を駆動するものである。音声合成装置２２は、制御部１７からの指示に従い、所定のガイド情報を音声に変換してスピーカ２３から出力するものである。グリルヒータ駆動回路３７は、制御部１７からの加熱指令に応じて、グリル庫６内のグリルヒータ（図示せず）を駆動するものである。
【００２５】
加熱調理器６１では、ガイド情報の報知手段として、表示部２１とスピーカ２３とを採用したため、表示部２１からの文字等による表示、スピーカ２３からの音声による報知、又は表示部２１及びスピーカ２３の双方からの出力のいずれの手法も採ることができる。本実施の形態１では、制御部１７が、表示部２１への表示と、スピーカ２３からの音声による報知との両方により各ガイド情報を出力する場合について説明する。
【００２６】
図３において、トッププレート２の手前側におけるガラス板２ａの下方空間に例示する表示部２１は、図２に示すように、トッププレート２の左右方向の中央部に配置されたメイン表示部２９と、加熱口２４Ｒの手前側に配置された右ＩＨ火力表示部３０Ｒおよび右表示部３１Ｒと、加熱口２４Ｌの手前側に配置された左ＩＨ火力表示部３０Ｌおよび左表示部３１Ｌと、加熱口２４Ｍの手前側に配置された中央ＩＨ火力表示部３０Ｍおよび中央表示部３１Ｍとを備えている。表示部２１は、例えば、液晶（ＬＣＤ）、各種発光素子（ＬＥＤなど）、又は有機電界発光（Ｅｌｅｃｔｒｏ  Ｌｕｍｉｎｅｓｃｅｎｃｅ：ＥＬ）素子などにより構成される。
【００２７】
メイン表示部２９は、個人認証に関する設定情報又は設定モードの選択表示や、加熱調理に関する設定情報、調理モードの選択表示、自動調理の進行状況、警告情報の表示などを出力する。ＩＨ火力表示部３０Ｒ、３０Ｌ、３０Ｍは、対応する加熱部８〜１０の投入火力等を表示するものであり、例えば１０個程度の発光素子を一列に並べ、火力の大きさに応じて点灯させる発光素子の数を変化させるように構成する。火力を７段階に設定・表示する場合は、少なくとも７個の発光素子を設け、発光素子の点灯数によって火力のレベルを表示する。例えば火力２の場合には発光素子を２個発光させ、火力３の場合は３個発光させるといった具合である。火力レベル表示に用いる発光素子は、発光ダイオード（ＬＥＤ）及び発光ダイオードからの光を受けて四角に光る半透明な受光体等によって構成される。右表示部３１Ｒ、左表示部３１Ｌ、中央表示部３１Ｍは、それぞれ、対応する加熱部８〜１０の通電条件又は制御状況等に関する情報（例えばタイマー調理における時間の情報又は揚げ物調理モードにおける温度の情報など）を表示する。
【００２８】
トッププレート２の後方には、調理器本体１の内部と連通し、調理器本体１の内部に外気を取り込む左吸気口３２Ｌと右吸気口３２Ｒとが設けられている。また、トッププレート２の後方中央には、調理器本体１の内部と連通し、調理器本体１の内部に取り込んだ空気を吹き出して排出する排気口３３が設けられている。また、各吸気口３２Ｒ、３２Ｌおよび排気口３３の上部には、通気性を有するカバー（図示せず）を設けることで、調理器本体１の内部への埃及び異物の侵入を防止している。
【００２９】
調理器本体１の左側下部には、魚等の調理を行うためのグリル庫６が設けられている。グリル庫６内には、庫内に載置された被調理物を加熱するための熱源となるグリルヒータ（図示せず）が備えられている。グリルヒータは、例えばシーズヒータ等からなり、グリル庫６内の上部および下部にそれぞれ配置されている。グリル庫６の加熱方式については、熱風によるコンベクション方式を用いるようにしてもよい。
【００３０】
グリル庫６の前面にはグリル扉３４が設けられ、グリル扉３４にはグリル庫６の内部を視認できるように視認窓３５が設けられている。また、グリル扉３４の最前面上部には使い勝手のよいようにグリル把持部３６が設けられており、使用者はグリル把持部３６を掴んでグリル扉３４を開閉することができる。グリル庫６の内部において加熱時に排出される煙等の排気風は、調理器本体１の奥部に設けた排気口３３より排気される。なお、図１には、調理器本体１の左側下部にグリル庫６を設けた構成を示しているが、例えば、グリル庫６を調理器本体１の右側下部又は中央下部等に設けてもよい。もっとも、加熱調理器６１にグリル庫６を設けないという構成を採ってもよい。
【００３１】
図４に示すように、認証部５の上面には認証窓３８が形成されている。認証窓３８は、ガラス板２ａに対して物理的に穴を設けたものではなく、可視光線を通さない薄膜塗装を施さずに透明な状態で形成されている。認証窓３８の下方に設けられた画像情報検出部１５は、使用者の像を結像させるレンズ３９と、レンズ３９によって結像された像を電気信号に変換して画像情報を検出するイメージセンサ４０と、認証情報転送回路４１とを有している。レンズ３９及びイメージセンサ４０は、認証窓３８を介して、加熱調理器６１の手前側の斜め上方に向けて配置されている。すなわち、画像情報検出部１５は、調理器本体１の手前側の斜め上方が検出範囲となるように配置されている。もっとも、画像情報検出部１５の検出範囲は、例えば、調理器本体１の手前側における中央方向の斜め上方など、使用者の画像情報を検出したい箇所を捉えることができる範囲であればよい。
【００３２】
イメージセンサ４０は、例えば、半導体で構成された固体撮像素子からなり、レンズ３９から入射した光を電気信号に変換して画像情報を検出するものである。イメージセンサ４０としては、例えば、ＭＯＳ型固体イメージセンサ又はＣＣＤイメージセンサ(Charge Coupled Device:電子結合素子)からなる固体撮像素子を採用することができる。より具体的に、イメージセンサ４０は、レンズ３９を介して結像させた使用者の像の光の明暗を光電変換し、変換後の信号を順次読み出して画像情報を検出するものである。認証情報転送回路４１は、イメージセンサ４０において検出された画像情報を認証データ生成部１６に転送するものである。
【００３３】
すなわち、画像情報検出部１５は、加熱調理器６１の前に使用者が立ち、使用者によって上面主電源スイッチ７ａ又は前面主電源スイッチ７ｂがオンされた場合に、レンズ３９を介して使用者の像をイメージセンサ４０の受光面に結像させ、結像させた像の光の明暗を電気信号に光電変換するものである。また、画像情報検出部１５は、光電変換した信号を順次読み出すことにより画像情報を検出し、検出した画像情報を認証データ生成部１６に送信するものである。
【００３４】
認証データ生成部１６は、認証情報転送回路４１から転送された画像情報をもとに認証用データを生成するものである。より具体的に、認証データ生成部１６は、画像情報検出部１５から送信された画像情報から特徴点（検出ポイント）を抽出し、認証用データとしてデータ化するものである。また、認証データ生成部１６は、画像情報から抽出した特徴点をもとにデータ化した認証用データを、制御部１７にリアルタイムで送信するものである。特徴点の例としては、正面顔画像の画像情報であれば、顔全体、眉、目、鼻、又は唇の輪郭形状、サイズ、又は位置等がある。横顔の画像情報からは、額から顎にかけての輪郭から特徴点を抽出することができる。認証データ生成部１６から認証用データが送信されると、制御部１７内のユーザＩ／Ｆ制御部４３は認証確認を実行する。（ユーザＩ／Ｆ制御部４３の動作については後述する。）
【００３５】
制御部１７は、ＣＰＵ（Ｃｅｎｔｒａｌ  Ｐｒｏｃｅｓｓｉｎｇ  Ｕｎｉｔ）等のプロセッサや、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ等の読み書き可能な不揮発性の半導体メモリ、システムバス、スピーカ、各種のハードウェアインタフェース（上面操作部３、前面操作部４、加熱部８〜１０、温度センサ１１ａ、１１ｂ、１２、表示部２１、及びスピーカ２３とのインタフェース）等から構成される（何れも図示せず）。
【００３６】
図５は、制御部１７の機能構成を示すブロック図である。図５に示すように、制御部１７は、ユーザＩ／Ｆ制御部４３と、加熱制御部４４と、記憶部４５とを有している。記憶部４５は、上面操作部３及び前面操作部４から送出される設定内容を認証用データに関連づけて登録認証データとして記憶する登録情報記憶部４５ａと、登録された使用者が使用した機能及びメニューを順次記憶する操作履歴記憶部４５ｂと、を有している。すなわち、記憶部４５は、認証用データが使用者に関連づけられた登録認証データ、及び加熱部８〜１０、上面操作部３及び前面操作部４、及び情報出力部１９の少なくとも１つの設定内容及び使用者による操作内容を記憶するものである。
【００３７】
ユーザＩ／Ｆ制御部４３は、使用者の操作に応じて上面操作部３又は前面操作部４から送出される操作信号に応じた操作画面を表示させるための表示制御信号を上面操作部３に対して送出する操作処理部４３ａと、認証データ生成部１６から取得した認証用データを、登録情報記憶部４５ａ内の登録認証データと照合し、当該認証用データに合致する登録認証データが存在するか否かを判定する照合判定部４３ｂと、照合判定部４３ｂにおいて認証用データに合致する登録認証データが存在する旨判定された場合に、当該登録認証データに関連づけられた設定内容に基づいて、加熱部８〜１０、上面操作部３、前面操作部４、及び情報出力部１９の少なくとも１つを制御する動作制御部４３ｃと、を有している。
【００３８】
操作処理部４３ａは、上面操作部３及び前面操作部４と信号線を介して接続されており、使用者によって火力の設定操作又は自動調理モードの選択操作が行われた際に、上面操作部３又は前面操作部４から送出される操作信号を動作制御部４３ｃに伝送する機能を有している。動作制御部４３ｃは、操作処理部４３ａから伝送された操作信号に応じた制御信号を、必要に応じて、加熱制御部４４、表示駆動回路２０、音声合成装置２２、グリルヒータ駆動回路３７に出力する。すなわち、動作制御部４３ｃは、照合判定部４３ｂによる判定の結果、及び上面操作部３又は前面操作部４を介しての使用者の要求に応じて、記憶部４５から使用者の設定内容に則した制限情報や調理モード等を読み出し、加熱制御部４４に制御信号を出力する機能を有している。また、動作制御部４３ｃは、グリルヒータ駆動回路３７に対してグリル制御信号を出力する。
【００３９】
照合判定部４３ｂは、認証部５において生成された認証用データを、登録情報記憶部４５ａに予め登録された登録認証データと照合するものである。より具体的に、照合判定部４３ｂは、認証部５から送出された認証用データと登録情報記憶部４５ａに登録された登録認証データとを比較し、認証用データとある登録認証データとが合致するか否かを判定するものである。照合判定部４３ｂは、認証用データとある登録認証データとが一致する場合又は認証用データとある登録認証データとの差が規定された範囲内であった場合に、登録された使用者であると判定する。一方、照合判定部４３ｂは、認証用データと合致する登録認証データが登録情報記憶部４５ａに存しなかった場合に、登録された使用者ではないと判定する。そして、照合判定部４３ｂは、上記判定の各結果を動作制御部４３ｃに送信するものである。なお、動作制御部４３ｃが、照合判定部４３ｂによる照合の結果を表示させるための表示制御信号を、操作処理部４３ａを介して上面操作部３に出力するようにしてもよい。
【００４０】
動作制御部４３ｃは、使用者によって電源がオンされた際に、画像情報検出部１５に検出制御信号を送信する。すなわち、画像情報検出部１５は、動作制御部４３ｃから検出制御信号が送信された際に使用者の画像情報を検出し、検出した画像情報を認証データ生成部１６に送出するものである。認証データ生成部１６は、画像情報検出部１５から送出された画像情報に基づいて認証用データを生成するものである。もっとも、画像情報検出部１５が、使用者によって電源がオンされた際に起動し、使用者の画像情報の検出を開始するように構成してもよい。
【００４１】
動作制御部４３ｃは、照合判定部４３ｂにおいて登録された使用者であると判定され、照合判定部４３ｂから判定結果が送信された場合に、使用者の登録認証データに関連づけられた設定内容に基づいて、加熱部８〜１０、上面操作部３、前面操作部４、及び情報出力部１９の少なくとも１つを制御するものである。ここで、設定内容とは、動作制御部４３ｃが、加熱部８〜１０、上面操作部３、前面操作部４、及び情報出力部１９の少なくとも１つを動作させる際の設定内容である。
【００４２】
動作制御部４３ｃは、登録された使用者ではないとの判定の結果が照合判定部４３ｂから送信された場合に、判定の結果を使用者に報知し、認証用データの登録作業に移行するか否かを確認する。より具体的に、動作制御部４３ｃは、認証用データと合致する登録認証データが存しなかった場合に、表示駆動回路２０及び音声合成装置２２を介して、メイン表示部２９及びスピーカ２３から、登録された使用者ではない旨を出力する制御を行う。また、動作制御部４３ｃは、メイン操作部２７において、個人情報を登録するか否かの確認表示を行うように制御する。個人情報を登録するか否かの確認表示には、登録された使用者ではない旨と共にメイン表示部２９上に表示するようにしてもよい。そして、操作処理部４３ａは、使用者からの登録の要望を示す操作信号を取得した際に、照合判定部４３ｂから認証用データを取得して記憶部４５に仮保存すると共に、認証用入力画面をメイン操作部２７に表示させるように制御する。
【００４３】
使用者が個人認証用の登録認証データを登録するための認証用入力画面は、操作処理部４３ａが記憶部４５から個人情報設定、個別制御情報設定、制限情報設定等の設定項目を読み出してメイン操作部２７に順番に表示するものである。認証用入力画面としては、操作処理部４３ａが、例えば、図６に示すように、個人情報設定、個別制御情報設定、制限情報設定等の設定項目を一覧表示し、使用者が適宜選択できるようにしてもよい。
【００４４】
個人情報設定の入力画面は、使用者が、名称、性別、年齢層等を入力するためのものである。使用者による個人情報の登録が完了すると、操作処理部４３ａは、仮保存した認証用データを個人情報に関連づけて記憶部４５に記憶させる。なお、仮保存した認証用データではなく、改めて認証部５を動作させて認証用データを取得した上で、再取得した認証用データを個人情報に関連づけて登録するようにしてもよい。
【００４５】
個別制御情報設定の入力画面は、使用者が、設定内容として、表示設定、音声設定、お好みメニュー設定等を入力するためのものである。表示設定の入力画面は、図７に例示するように、文字サイズ、字体、字色、背景色、言語についての３つの選択肢の中から、使用者が好みに合わせて選択するように構成できる。音声設定の入力画面は、図８に例示するように、音量、高さ、スピード、言語、特殊を３つの選択肢の中から、使用者が好みに合わせて選択するように構成できる。加熱調理器６１では、設定内容の内の文字の表示形態又は音の出力形態を変更できるように構成したため、使用者の好み又は年齢に応じた設定画面による操作が可能となることから、使用者の利便性と快適性の向上を図ることができる。特に、音声設定を変更できる構成によれば、聴力の低下した高齢者等に対しても、最適な調理環境を提供することができる。もっとも、上記各入力画面における設定の項目、選択肢の数、選択肢の内容は、適宜変更するようにしてもよい。
【００４６】
お好みメニュー設定の入力画面では、図９に例示するように、使用者が必要に応じて実行するか否かを選択し、お好みメニュー設定を行う場合（「する」を選択した場合）には、使用者が手動設定又は自動設定を選択するように構成できる。手動設定が選択された場合は、使用者がお好みメニューを上位５つまで登録するといったように、任意の数のお好みメニューを登録できる構成としてもよい。また、お好みメニューの登録数の上限を、使用者が適宜設定するようにしてもよい。
【００４７】
操作処理部４３ａは、登録された個人が使用した機能及びメニューを、順次操作履歴記憶部４５ｂに記憶させる機能を有し、使用者による上面操作部３及び前面操作部４への入力内容を登録認証データと関連づけて記憶部４５に記憶させるものである。すなわち、操作処理部４３ａは、予め加熱調理器６１に登録されているメニュー又は揚げ物等の機能が使用された際に操作履歴情報を生成し、操作履歴記憶部４５ｂに記憶させる機能を有している。また、操作処理部４３ａは、登録された使用者の入力操作により、個別制御情報設定に関するメニュー又は機能の優先表示（自動設定）を希望する操作信号が上面操作部３から送出された場合に、操作履歴記憶部４５ｂの操作履歴情報を参照して、利用頻度の高いメニュー及び機能を選別してメイン操作部２７に表示させる機能を有している。そして、図９のような画面において、使用者が自動設定を選択した場合には、操作処理部４３ａが、操作履歴記憶部４５ｂに記録された利用履歴の内から、使用者の利用頻度が高いメニュー及び機能を優先的に表示するように制御し、使用者に選択させる。
【００４８】
また、設定内容は、制限情報を有している。制限情報とは、使用者によって利用できる機能を予め制限するために設定する情報である。制限情報設定の入力画面において、使用者は、機能制限、メニュー制限、火力制限、温度制限等の制限情報を必要に応じて入力し設定することができる。例えば、子供又は高齢者といった高温調理を行うことが不向きな使用者に対して、火力又は温度の上限（上限値）を予め設定しておくように構成する。上限値を設定することにより、使用者の操作に関わらず、上限値までしか加熱調理器６１が駆動しないように設定することができるため、信頼性を向上することができる。加熱調理器６１に予め内蔵されている機能（揚げもの機能等）を使用不可に設定するといった制限を設けるようにしてもよい。
【００４９】
使用者による登録操作が完了すると、操作処理部４３ａは、メイン操作部２７に設定確認画面を表示させる。設定確認画面には、設定内容の他に、例えば設定内容に変更がない場合に使用者が押すＹＥＳボタンと、設定内容に誤りがある場合に使用者が押すＮＯボタンとが表示されており、使用者が変更の有無を選択可能な構成となっている。使用者から変更なしの指示を受けた場合に、操作処理部４３ａは、設定内容の登録を完了させ、動作制御部４３ｃは、加熱調理器６１の個別制御を開始する。設定確認画面で確認した内容に変更がある場合に、使用者は、変更したい情報を選択する。使用者による選択指令を受けた操作処理部４３ａは、使用者が変更したい情報の入力画面を再度表示する。使用者による情報変更が完了すると、操作処理部４３ａは、再度「設定確認画面」を表示する。使用者により登録が選択された場合に、操作処理部４３ａは、リアルタイムで入力された認証用データを、登録された設定内容と併せて登録情報記憶部４５ａに記憶させる。
【００５０】
個人認証された使用者が個別制御を所望した場合に、動作制御部４３ｃは、登録情報記憶部４５ａに記憶された情報を読み出し、加熱制御部４４、グリルヒータ駆動回路３７、表示駆動回路２０、音声合成装置２２に、それぞれ、火力制御信号、グリル制御信号、表示制御信号、音声制御信号（個別制御信号）を送出する。メイン操作部２７に表示されるメニュー画面には、個別の設定内容を変更する設定変更ボタンが示されており、使用者が設定変更ボタンに触れると、操作処理部４３ａが、図６のような使用者情報登録画面を表示させる。これにより、使用者は、設定内容を変更したい項目を選択し、適宜好みの状態の設定内容に変更することができる。
【００５１】
なお、記憶部４５には、認証部５において生成された認証用データに、記憶部４５に記憶された情報を管理する管理者のデータを関連づけて、管理者の登録認証データとして登録しておくようにしてもよい。併せて、照合判定部４３ｂは、認証部５において生成された認証用データが、記憶部４５に登録された管理者の登録認証データと合致するか否かを判定する機能を有していてもよい。そして、動作制御部４３ｃは、照合判定部４３ｂにおいて管理者の登録認証データと合致すると判定された場合に、上面操作部３を介しての当該管理者からの要求に応じて記憶部４５内に記憶された情報を変更する機能を有するようにしてもよい。
【００５２】
加熱制御部４４は、信号線を介して、インバータ回路１８を含む各インバータ回路と温度検出装置１３とに接続されており、温度検出装置１３を介して各温度センサ１１ａ、１１ｂ、１２による検出温度を取得するものである。加熱制御部４４は、動作制御部４３ｃから送信される制御信号に従って、指定されたインバータ回路１８に出力する高周波電流を制御することで、加熱部８〜１０の加熱電力量を制御するものである。
【００５３】
また、加熱制御部４４は、インバータ回路１８に高周波電流を出力してから所定時間が経過するまでの間に、動作制御部４３ｃからの制御コマンドの入力がない場合、インバータ回路１８への高周波電流の出力を停止する機能を有している。すなわち、加熱制御部４４は、使用者によって操作が行われない未操作継続時間が、予め設定された所定時間を超えると、被加熱物の加熱を停止する切り忘れ防止処理を実行するものである。さらに、加熱制御部４４は、温度センサ１１ａ、１１ｂ、１２が検出した被加熱物の温度が所定の温度を超えている場合に、温度センサ１１ａ、１１ｂ、１２に対応するインバータ回路１８への高周波電流の出力を停止し、対応する被加熱物の加熱を停止する過熱防止処理を実行するものである。
【００５４】
図１０は、実施の形態１に係る他の加熱調理器の内部構成を示す概略図である。認証データ生成部１６は、図３に示すように、画像情報検出部１５と一体化して構成してもよいが、図１０に示すように、画像情報検出部１５とは分離して配置するようにしてもよい。すなわち、画像情報検出部１５が、認証窓３８の下方に配置され、認証データ生成部１６が、認証窓３８の下方以外の場所に配置されるようにしてもよい。なお、図１０では、画像情報検出部１５と認証データ生成部１６とが、加熱部８を隔てて配置された場合を例示している。
【００５５】
加熱調理器６１Ａのように、画像情報検出部１５と認証データ生成部１６とが分離して配置された構成を採れば、認証窓３８の下部の構造を小さくでき、すなわち、画像情報検出部１５を比較的狭い場所に配置することができるため、画像情報検出部１５の配置場所の選択肢を増やすことができる。また、認証データ生成部１６を加熱部８〜１０に設けられたコイルから遠ざけることができるため、認証データ生成部１６が、コイルで発生する熱又は磁気から受ける影響を低減することができる。
【００５６】
本実施の形態１の加熱調理器６１及び６１Ａでは、個人認証に用いる情報として画像情報を採用したため、電力供給後の使用者が加熱調理器６１又は６１Ａの前に立っているだけで、自動的に個人認証が実行される。このため、加熱調理器６１及び６１Ａによれば、個人認証に伴う使用者の作業が不要となるため、使用者の利便性の向上を図ることができる。
【００５７】
続いて、使用者が加熱調理を開始するまで及び加熱調理中における加熱調理器６１及び６１Ａの動作を図１１及び図１２に基づいて説明する。図１１は、加熱調理器６１及び６１Ａによる認証時の動作を示すフローチャートであり、図１２は、加熱調理器６１及び６１Ａによる認証用データ登録時の動作を示すフローチャートである。まず、図１１を参照して、使用者の認証処理の流れ（認証フロー）を説明する。
【００５８】
使用者によって上面主電源スイッチ７ａ又は前面主電源スイッチ７ｂがオンされることで、電源部１４から制御部１７等に電力が供給される（図１１：ステップＳ１０１）。次いで、動作制御部４３ｃが、認証を開始するガイドを表示させる表示制御信号を表示駆動回路２０に送信し、メイン表示部２９に認証を開始するガイドが表示される。併せて、動作制御部４３ｃは、音声合成装置２２に音声制御信号を送信し、認証を開始するガイドが、スピーカ２３から音声によって報知される。併せて、動作制御部４３ｃは、画像情報検出部１５に検出制御信号を送信する（図１１：ステップＳ１０２）。
【００５９】
動作制御部４３ｃから検出制御信号が送信されると、画像情報検出部１５は、画像情報を検出し、認証データ生成部１６は、画像情報検出部１５において検出された画像情報をもとに認証用データを生成する。そして、認証データ生成部１６は、生成した認証用データを照合判定部４３ｂに送信する（図１１：ステップＳ１０３）。
【００６０】
照合判定部４３ｂは、認証データ生成部１６から送信された認証用データを登録情報記憶部４５ａの登録認証データと照合（比較）し、適合率Ｆを求める（図１１：ステップＳ１０４）。ここで、適合率Ｆとしては、例えば「適合率Ｆ（％）＝（一致ポイント／総検出ポイント）×１００」を採用する。
【００６１】
照合判定部４３ｂは、予め設定された認証閾値Ａを超える適合率Ｆの登録認証データが存在した場合（Ｆ＞Ａの場合）に（図１１：ステップＳ１０５／Ｙｅｓ）、認証用データと登録認証データとが合致するとみなし、合致する旨を動作制御部４３ｃに通知する。照合判定部４３ｂからの通知を受けた動作制御部４３ｃは、登録情報記憶部４５ａに登録されている個別の設定内容を読み出し（図１１：ステップＳ１０６）、読み出した設定内容に基づいて、加熱調理器６１又は６１Ａの個別制御（個人モードによる制御）を開始する。動作制御部４３ｃによる個別制御により、表示部２１及び上面操作部３には、使用者の個別の設定内容に応じた情報が出力される（図１１：ステップＳ１０７）。
【００６２】
すなわち、動作制御部４３ｃによる制御により、表示部２１に個別の設定内容が表示され、スピーカ２３から個別の設定内容に基づく音声が報知されると、当該使用者は、自己の個別設定を利用することができる。例えば、使用者が加熱部８に対応する切入スイッチに触れると、電源部１４から制御部１７を介してインバータ回路１８に電力が供給され、加熱部８が駆動可能な加熱準備状態となる。このとき、例えば、右ＩＨ火力表示部３０Ｒを青色表示させることにより、加熱準備状態である旨の表示をする。使用者が、加熱部８に対応する火力設定スイッチ又は自動調理スイッチをタッチ操作すると、動作制御部４３ｃは、インバータ回路１８を駆動して加熱部８による誘導加熱を開始させる。以降、使用者は、火力設定スイッチ又は切タイマースイッチを操作して所望の加熱調理を行う。個別の設定内容の登録処理の詳細については、下記登録フロー（図１２）において詳述する。
【００６３】
操作処理部４３ａは、使用者が加熱調理器６１に予め登録されている機能又はメニューを使用した場合に、使用した機能又はメニューを操作履歴として操作履歴記憶部４５ｂに記憶させる。すなわち、使用者の個人モードによる制御開始以降、使用者が火力設定スイッチ又は切タイマースイッチ等を操作して所望の加熱調理を行っている間において、操作処理部４３ａは、操作履歴情報の記憶処理を実行する（図１１：ステップＳ１０８）。続いて、使用者が切入スイッチに触れてオフ操作を行うと、動作制御部４３ｃは、加熱制御部４４を介してインバータ回路１８の駆動を停止させ、電源部１４からインバータ回路１８への電力供給を停止させる。そして、電源部１４が自身の電源を遮断する（図１１：ステップＳ１０９）。
【００６４】
一方、認証閾値Ａを超える適合率Ｆの登録認証データが存在しなかった場合（Ｆ≦Ａの場合）には（図１１：ステップＳ１０５／Ｎｏ）、動作制御部４３ｃが、登録された使用者ではないこと（未登録の旨）を表示及び音声により出力する（図１１：ステップＳ１１０）。次いで、動作制御部４３ｃは、使用者に加熱調理器６１を使用するか否か（ＩＨを利用するか否か）の確認を促す表示及び音声を出力する（図１１：ステップＳ１１１）。動作制御部４３ｃは、使用するか否かの確認の報知に対する使用者の操作を受けて、使用者が加熱調理器６１を使用すると判断した場合に（図１１：ステップＳ１１１／Ｙｅｓ）、リアルタイムで取得した認証用データを記憶部４５に仮保存し（図１１：ステップＳ１１２）、後述する登録フロー（図１２）に移行する（Ｉ参照）。一方、使用者が加熱調理器６１を使用しないと判断した場合に（図１１：ステップＳ１１１／Ｎｏ）、動作制御部４３ｃは、加熱制御部４４を介して電源部１４からインバータ回路１８への電力供給を停止させ、電源部１４は、自身の電源を遮断する（図１１：ステップＳ１０９）。
【００６５】
次に、電源オン時における使用者情報の登録処理を示す図１２を参照して、使用者情報の登録処理の流れ（登録フロー）を説明する。操作処理部４３ａは、使用者から登録の要望があった場合に、記憶部４５から認証用入力画面を読み出し、例えば図６のような認証用入力画面をメイン操作部２７に表示させる（図１２：ステップＳ２０１）。使用者が、個人情報の入力画面から、名称、性別、年齢層等の個人情報を入力し、個人情報の登録が完了すると（図１２：ステップＳ２０２）、操作処理部４３ａは、認証フローで仮保存した認証用データを、入力された個人情報に関連づけて登録情報記憶部４５ａに記憶させる（図１２：ステップＳ２０３）。なお、ステップＳ２０３では、仮保存しておいた認証用データ（図１１のステップＳ１１２参照）を用いて登録処理を行っているが、動作制御部４３ｃから改めて検出制御信号を送信し、認証部５において再度生成された認証用データを取得して用いるようにしてもよい。
【００６６】
次いで、操作処理部４３ａが個別制御情報設定の入力画面をメイン操作部２７に表示させると、使用者が、個別制御情報設定の入力画面から、例えば図７〜図９のような表示設定、音声設定、お好みメニュー設定等の個別制御情報を入力する。使用者による個別制御情報の登録が完了すると、動作制御部４３ｃは、入力された個別制御情報を認証用データに関連づけて登録情報記憶部４５ａに記憶させる（図１２：ステップＳ２０４）。個別制御情報のうち、お好みメニューの設定は、図９に例示するように、使用者が必要に応じて設定するものであり、設定に際しては、手動設定又は自動設定を選択することができる。手動設定を選択した使用者は、予め設定された任意の数のお気に入りメニューを登録することができる。また、使用者が自動設定を選択すると、操作処理部４３ａは、操作履歴記憶部４５ｂに記憶された操作履歴情報の内で、使用者の利用頻度が高いメニュー及び機能から優先的に表示させる。もっとも、初期の登録時には、使用者の操作履歴情報は記憶されていないため、操作処理部４３ａが、記憶されていない旨をメイン操作部２７に表示させるようにしてもよい。また、操作処理部４３ａが、既に登録されている使用者の操作履歴情報又は一般的な統計データ等をもとに予め作成された操作履歴情報を表示させるようにしてもよい。さらに、複数の使用者が登録されている場合には、使用者全体の操作履歴情報を統計的又は選択的に表示するようにしてもよい。
【００６７】
続いて、操作処理部４３ａが制限情報設定の入力画面をメイン操作部２７に表示させると、使用者が、制限情報設定の入力画面から、利用できる機能をあらかじめ制限するための制限情報を入力する。使用者による制限情報の登録が完了すると、操作処理部４３ａは、入力された制限情報を個人情報に関連づけて登録情報記憶部４５ａに記憶させる（図１２：ステップＳ２０５）。制限情報としては、機能制限、メニュー制限、火力制限、又は温度制限等に関するものがあり、使用者が必要に応じて設定する情報である。
【００６８】
次いで、動作制御部４３ｃは、メイン表示部２９に設定確認画面を表示させる（図１２：ステップＳ２０６）。設定確認画面の表示を確認した使用者が、変更なしの旨を示した場合に（図１２：ステップＳ２０７／Ｙｅｓ）、操作処理部４３ａは、登録認証データの登録を完了させ（図１２：ステップＳ２０８）、動作制御部４３ｃは、加熱調理器６１の個別制御を開始する（図１１のステップＳ１０６へ移行／II参照）。
【００６９】
設定確認画面において確認した内容に変更がある場合に、使用者がメイン操作部２７で変更したい情報を選定すると（図１２：ステップＳ２０７／Ｎｏ）、変更したい情報を示す操作信号が操作処理部４３ａに送信され（図１２：ステップＳ２０９）、操作処理部４３ａは、使用者が変更したい情報の入力画面をメイン操作部２７に再度表示させる（図１２：ステップＳ２１０）。使用者がメイン操作部２７において情報変更を完了すると（図１２：ステップＳ２１１）、操作処理部４３ａは、メイン操作部２７に再度「設定確認画面」を表示させる（図１２：ステップＳ２０６）。以降の動作内容は、上記ステップＳ２０７〜Ｓ２１１と同様である。
【００７０】
本実施の形態１では、加熱調理器６１及び６１Ａに個人認証機能を持たせ、認証された使用者に関連づけられた設定内容に基づいて個別制御を行うという構成を採っている。このため、使用者の好み、年齢、又は使用者の状況（例えば聴力の低下した高齢者）等に応じた設定をもとに加熱調理器６１又は６１Ａを駆動させることができ、利便性と快適性の向上を図ることができる。すなわち、本実施の形態１では、加熱調理器６１又は６１Ａが、使用者の画像情報に基づく個人認証を行い、認証された使用者に対して固有の設定内容を提供するように構成されているため、利便性に優れた加熱調理器を提供することができる。
【００７１】
また、加熱調理器６１においては、使用者が電源をオンした際に、認証部５が、使用者の画像情報をもとに認証用データを生成し、制御部１７が、認証部５において生成された認証用データと記憶部４５内の登録認証データとを照合して個人認証を行うため、個人認証時における使用者の操作が不要になることから、使用者の利便性の向上を図ることができる。すなわち、加熱調理器６１及び６１Ａでは、個人認証に用いる情報として画像情報を採用したことから、電力供給時に加熱調理器６１又は６１Ａの前に立つ使用者が、個人認証のための操作を行う必要がないため、使用者にとって使い勝手がよく、利便性に優れた加熱調理器の提供を実現できる。さらに、加熱調理器６１及び６１Ａによれば、設定内容に制限情報を含むことから、特定の使用者に利用制限をかけることができるため、想定外の駆動の防止や誤操作の低減を実現できる。
【００７２】
〈変形例１〉
本発明の実施の形態１に係る加熱調理器の変形例１を図１３及び図１４を参照して説明する。図１３は、表示設定画面を例示する表であり、図１４は、表示設定及び音声設定の入力画面を例示する表である。本変形例１では、上記図６〜図８を例示して説明した個別制御情報の設定時において、別の表示設定又は音声設定を行う点に特徴がある。本変形例１の加熱調理器６１Ｂにおいて、加熱調理器６１と同一の構成部材には同一の符号を用いるものとする。
【００７３】
本変形例１の加熱調理器６１Ｂが使用者に提示する表示設定画面は、図６のように表示設定の各選択肢を文字によって表現するものではなく、具体的に動作する内容（文字の形態等）を表すものである。図１３は、表示設定の入力画面を例示する表である。加熱調理器６１Ａは、例えば図１３に示すように、文字サイズの選択肢の欄には、サイズを変えた同一の文字を示し、字色の選択肢の欄には、実際の色の文字を具体的に表示することができる。
【００７４】
図１４（ａ）及び図１４（ｂ）は、表示設定及び音声設定の入力画面を例示する表であり、設定の一部が数値で表示されている。本変形例１の加熱調理器６１Ｂは、例えば、図１４（ａ）に示すように、文字サイズを１〜５の５段階で表現することができる。また、図１４（ｂ）に示すように、音声設定画面においては、音量、高さ、スピードの選択肢を１〜５の５段階（数字）で表示することができる。すなわち、使用者がある音量（１〜５）を選択すると、動作制御部４３ｃは、選択された音量でスピーカ２３から各報知を行うように制御し、使用者があるスピード（１〜５）を選択すると、動作制御部４３ｃは、選択されたスピードでスピーカ２３から各報知を行うように音声合成装置２２に対して音声制御信号を送信する。また、文字サイズ又は音量等の数字による５段階表示を、図１４（ｃ）に例示するように、棒グラフ等によって視覚的に表現するようにしてもよい。もっとも、各選択肢は５段階に限るものではなく、適宜増減するようにしてもよい。
【００７５】
本変形例１における加熱調理器６１Ｂの表示設定画面では、設定内容の内の表示形態を具体的に示す構成を採ったため、個別制御情報を設定する際に、使用者が各イメージを捉えやすくなることから、設定項目選択の円滑化を図ることができる。また、加熱調理器６１Ｂでは、文字サイズ又は音量等の選択肢を段階的に表示する構成を採用できるため、使用者に、設定項目を選択しやすいという利点を提供することができる。すなわち、加熱調理器６１Ｂによれば、出力形態の個別設定を、より細かくかつ迅速に行うことができるため、ユーザビリティの向上を図ることができる。
【００７６】
〈変形例２〉
本発明の実施の形態１に係る加熱調理器の変形例２を、図１５及び図１６を参照して説明する。図１５は、簡易登録用設定画面を例示する表であり、図１６は、簡易登録処理を示すフローチャートである。本変形例２の加熱調理器６１Ｃでは、使用者が個別制御情報等を詳細に設定する必要のない簡易登録モード（らくらく設定モード）を採用した点に特徴がある。加熱調理器６１Ｃにおいて、加熱調理器６１と同一の構成部材には同一の符号を用いるものとする。
【００７７】
本変形例２では、図１５に例示するような簡易登録用設定画面（らくらく設定画面）、及びらくらく設定画面に対応する各情報（らくらく設定情報）が、予め記憶部４５に格納されており、使用者による個人情報の入力が完了した際に、操作処理部４３ａがメイン操作部２７にらくらく設定画面を表示させる。加熱調理器６１Ｃは、図１２のステップＳ２０４における個別制御情報の設定に先立って、一項目ずつ使用者の好みに応じて設定できる詳細設定モードと、予め加熱調理器に登録されている複数の設定の組み合わせの中から好みの設定を選択できるらくらく設定モードとを選択する機能を有している。
【００７８】
加熱調理器６１Ｃでは、各種設定項目について、特定の使用者向け（子供向け、老人向けなど）に予め設定された内容が記憶部４５に格納されており、操作処理部４３ａが、らくらく設定情報を適宜読み出してメイン操作部２７に表示させる。例えば、図１５のような「らくらく設定」の画面上において、使用者が、設定（３）の年配向けを選択した場合には、文字又は音量等が大きく出力される設定となるようにしてもよい。使用者が、設定（１）の子供向けを選択した場合には、火力制限又は調理モード等の制限が加わり、音声による報知回数が増える設定となるようにしてもよい。また、図１５の設定（７）に示すＡさん設定のように、一旦詳細設定モードにおいて登録した個別の設定内容を（図１２参照）、らくらく設定における１つの設定内容として追加できるようにしてもよい。そして、追加した設定内容は、適宜削除又は変更できるようにしてもよい。
【００７９】
すなわち、加熱調理器６１Ｃによれば、使用者の１クリックにより細かな設定を完了することができる。また、使用者は、登録されている複数の設定から自分の好みに近い組み合わせを選択することができる。使用者が、各設定における詳細を選択すると、各設定の詳細な内容を確認できるようになっている。
【００８０】
ここで、らくらく設定モードを備えた本変形例２における加熱調理器６１Ｃの動作を、図１６に示すフローチャートに基づいて説明する。まず、図１２におけるステップＳ２０１〜Ｓ２０３と同様に、操作処理部４３ａは、使用者から登録の要望に応じて認証用入力画面を表示させ（図１６：ステップＳ３０１）、使用者による個人情報の登録が完了すると（図１６：ステップＳ３０２）、認証フローで仮保存した認証用データを入力された個人情報に関連づけて登録情報記憶部４５ａに記憶させる（図１６：ステップＳ３０３）。
【００８１】
次いで、本変形例２では、個別制御情報設定の入力画面を表示するのに先立って、操作処理部４３ａが、詳細設定モードとらくらく設定モードとの選択を促すガイドをメイン操作部２７に表示させる（図１６：ステップＳ３０４）。使用者が、らくらく設定モードを選択すると（図１６：ステップＳ３０５／Ｙｅｓ）、操作処理部４３ａは、予め記憶部４５に格納されている、らくらく設定用の設定画面をメイン操作部２７に表示させる（図１６：ステップＳ３０６）。
【００８２】
使用者が、必要に応じて各設定の詳細を確認し、表示された各設定の中から使用者の好みに合った設定を選択すると、選択された設定を示す操作信号が上面操作部３から送信される。操作処理部４３ａは、上面操作部３から操作信号を受信すると（図１６：ステップＳ３０７）、メイン操作部２７に設定確認画面を表示させる。すなわち、図１２に示すステップＳ２０６に移行する（IV参照）。一方、使用者が、詳細設定モードを選択すると（図１６：ステップＳ３０５／Ｎｏ）、操作処理部４３ａは、メイン操作部２７に個別制御情報設定の入力画面を表示させ、使用者による個別制御情報の入力及び登録が完了すると、入力された設定内容としての個別制御情報を個人情報に関連づけて登録情報記憶部４５ａに記憶させる。すなわち、図１２のステップＳ２０４に移行する（III参照）。
【００８３】
本変形例２では、加熱調理器６１Ｃの記憶部４５内に、設定内容中の複数の項目を組み合わせた複数のパターンを予め記憶させておき、いずれか１つの設定パターンを使用者が簡易に選択できるように構成したため、使用者の好みを反映しつつ、登録時における設定の煩わしさを軽減することができる。また、加熱調理器６１Ｃによれば、使用者が、必要に応じて詳細設定モードを利用することができるため、より個性的な加熱調理器の制御を実現させたいという使用者のニーズにも応じることができる。
【００８４】
〈変形例３〉
本発明の実施の形態１に係る加熱調理器の変形例３を、図１７に基づいて説明する。図１７は、本変形例３における設定モードの切替処理を示すフローチャートである。本変形例３の加熱調理器６１Ｄでは、認証により個人を特定し、特定した個人に応じた個別制御を行う「個人モード」の他に、誰もが自由に使用できる「Ｅｖｅｒｙｏｎｅモード（基本モード）」を備え、使用者の状況に応じて上記各設定モード間での切り替えができる構成を採った点に特徴がある。本変形例３の加熱調理器６１Ｄにおいて、加熱調理器６１と同一の構成部材には同一の符号を用いるものとする。
【００８５】
ここで、設定モードの切替機能を備えた本変形例３における加熱調理器６１Ｄの動作を、図１７に基づいて説明する。まず、使用者が上面主電源スイッチ７ａ又は前面主電源スイッチ７ｂをオンにすることで、制御部１７等に電力が供給される（図１７：ステップＳ４０１）。次に、操作処理部４３ａが、モード設定を促すガイドをメイン操作部２７に表示させ（図１７：ステップＳ４０２）、使用者が、個人モードとＥｖｅｒｙｏｎｅモードとの何れか一方を選択する。使用者によってＥｖｅｒｙｏｎｅモードが選択された場合には（図１７：ステップＳ４０３／Ｙｅｓ）、動作制御部４３ｃが、予め登録情報記憶部４５ａに登録されているＥｖｅｒｙｏｎｅモード用の設定データを読み出し（図１７：ステップＳ４０４）、Ｅｖｅｒｙｏｎｅモードの設定情報に基づいて加熱調理器６１Ｄの制御を開始する（図１７：ステップＳ４０５）。一方、使用者によって個人モードが選択された場合には（図１７：ステップＳ４０３／Ｎｏ）、動作制御部４３ｃが、メイン表示部２９に認証を開始するガイドを表示させる。すなわち、図１１のステップＳ１０２に移行し（Ｖ参照）、加熱調理器６１Ｄは、ステップＳ１０２〜Ｓ１１２に沿って動作する。
【００８６】
Ｅｖｅｒｙｏｎｅモード又は個人モードで加熱調理器６１Ｄを使用している間に、使用者が、メニュー画面（Ｍｅｎｕ画面）に表示されたモード設定変更を選択すると、操作処理部４３ａは、モード変更を行うか否かの確認画面をメイン操作部２７に表示させ、モード変更するか否かを使用者に確認する（図１７：ステップＳ４０６）。使用者が、上記確認画面において、モード変更しない旨を示した場合には（図１７：ステップＳ４０６／Ｎｏ）、動作制御部４３ｃが、メニュー画面においてモード設定変更を選択される前の設定により加熱調理器６１Ｄの制御を継続する（図１７：ステップＳ４０７）。一方、使用者が、上記確認画面において、モード変更する旨を示した場合には（図１７：ステップＳ４０６／Ｙｅｓ）、動作制御部４３ｃがステップＳ４０２以降に示すモード変更処理を実行する。なお、図１１の個別制御時においても（ステップＳ１０７、Ｓ１０８）、使用者がメニュー画面に表示されたモード設定変更を選択した際に、操作処理部４３ａが、モード変更を行うか否かの確認画面を表示させるようにしてもよい（図１７：ステップＳ４０６／VI参照）
【００８７】
本変形例３の加熱調理器６１Ｄでは、使用者が、設定内容が登録認証データにより決定される個人モード、又は設定内容が予め設定された基本設定により決定される基本モードを状況に合わせて選択すると、動作制御部４３ｃが、使用者の選択に応じて制御内容を変更する。このため、使用者のニーズにより合致した設定を提供することができ、使用者に、より快適な調理環境を提供することができる。
【００８８】
〈変形例４〉
本発明の実施の形態１に係る加熱調理器の変形例４を、図１８に基づいて説明する。図１８は、本変形例４のセルフチェック処理を示すフローチャートである。本変形例４の加熱調理器６１Ｅは、認証用データを用いた認証時に、使用者が認証の正誤をセルフチェックするための機能（セルフチェック機能）を有する点に特徴がある。本変形例４の加熱調理器６１Ｅにおいて、加熱調理器６１と同一の構成部材には同一の符号を用いるものとする。
【００８９】
ここで、使用者に認証結果をセルフチェックさせる機能を備えた本変形例４における加熱調理器６１Ｅの動作を、図１８に基づいて説明する。まず、使用者が上面主電源スイッチ７ａ又は前面主電源スイッチ７ｂをオンにすることで、制御部１７等に電力が供給される（図１８：ステップＳ５０１）。次に、動作制御部４３ｃが、認証を開始するガイドをメイン表示部２９に表示させると共に、検出制御信号を画像情報検出部１５に送信する（図１８：ステップＳ５０２）。次いで、画像情報検出部１５が、使用者の画像情報を検出し、認証データ生成部１６が、認証用データを生成する（図１８：ステップＳ５０３）。
続いて、照合判定部４３ｂが、データ照合を実行し（図１８：ステップＳ５０４）、適合率Ｆと認証閾値Ａとを比較する（図１８：ステップＳ５０５）。以上の動作内容は、図１１におけるステップＳ１０１〜１０５と同様である。すなわち、認証用データと合致する登録認証データがなかった場合に（図１８：ステップＳ５０５／Ｎｏ）、制御部１７は、図１１（認証フロー）におけるステップＳ１１０以降と同様の未登録処理を実行する（VII参照）。
【００９０】
一方、照合判定部４３ｂは、認証データと合致する登録認証データがあると判定した場合に（図１８：ステップＳ５０５／Ｙｅｓ）、判定結果を動作制御部４３ｃに通知する。動作制御部４３ｃは、照合判定部４３ｂから通知された判定結果を、当該登録認証データに関連づけられた情報、及び判定結果が正しいか否かの確認を使用者に促すガイド（正誤確認を促すガイド）と共に出力する（図１８：ステップＳ５０６）。なお、各情報の出力にあたっては、全ての情報を表示と音声とにより報知するようにしてもよい。また、例えば、判定結果又は正誤確認を促すガイドについては表示と音声との双方で報知し、個人情報等については表示のみにとどめる、といった具合に、情報の内容によって出力方法を変更するようにしてもよい。
【００９１】
使用者が、メイン操作部２７において認証結果が正しい旨を示した場合に（図１８：ステップＳ５０７／Ｙｅｓ）、照合判定部４３ｂは、認証データと上記合致した登録認証データとを再比較する。再比較において、照合判定部４３ｂは、予め設定された注意喚起閾値Ｂを用いる（図１８：ステップＳ５０８）。
【００９２】
適合率Ｆが注意喚起閾値Ｂ以上の場合（Ｂ≦Ｆの場合）は、図１１のステップＳ１０６に移行する（II参照）。すなわち、動作制御部４３ｃは、図１１に示す認証フローと同様に個別の設定内容を読み出して個別制御を実行する。一方、適合率Ｆが注意喚起閾値Ｂ未満の場合（Ａ＜Ｆ＜Ｂの場合）に、照合判定部４３ｂは、再比較の結果を動作制御部４３ｃに通知し、動作制御部４３ｃは、認証部５の確認を促すガイドを出力する。すなわち、動作制御部４３ｃは、認証部の確認又は認証部の清掃を促すガイドを、メイン表示部２９に表示させ、スピーカ２３から報知させる（図１８：ステップＳ５０９）。これ以降は、図１８に示すように、そのまま図１１のステップＳ１０６に移行するようにしてもよいし（II参照）、使用者に再認証を開始するガイドを出力するようにしてもよい（図１８のステップＳ５１３へ移行）。
【００９３】
また、使用者が、メイン操作部２７において認証結果の誤りを選択した場合、すなわち、加熱調理器６１Ｅが認証した登録者と使用者とが合致しなかった場合に（図１８：ステップＳ５０７／Ｎｏ）、照合判定部４３ｂは、加熱調理器６１Ｅに内蔵された認証回数カウンタのカウント数ＮをＮ＝１を設定する。認証回数カウンタにおいて、カウント数Ｎの初期値は０に設定されている（図１８：ステップＳ５１０）。そして、照合判定部４３ｂは、カウント数Ｎと予め設定された誤認基準回数Ｃとを比較し、カウント数Ｎが誤認基準回数Ｃよりも少なければ、動作制御部４３ｃにカウント数Ｎが誤認基準回数Ｃ未満である旨を通知する。照合判定部４３ｂからの通知を受けた動作制御部４３ｃは、認証部５の確認を促すガイド及び再認証を開始するガイドを出力すると共に（図１８：ステップＳ５１２、Ｓ５１３）、画像情報検出部１５に検出制御信号を送信する。これにより、ステップＳ５０３以降の再認証処理が実施される。
【００９４】
上記再認証処理においても、使用者が、認証結果の誤りを選択した場合に（図１８：ステップＳ５０７／Ｎｏ）、照合判定部４３ｂは、認証回数カウンタのカウント数Ｎに１カウント追加してＮ＝２とする（図１８：ステップＳ５１０）。再認証処理は、カウント数Ｎが誤認基準回数Ｃ以上になるまで（カウント数Ｎと誤認基準回数Ｃとが一致するまで）実行される（図１８：ステップＳ５１１）。
【００９５】
ステップＳ５１０におけるカウント数Ｎのインクリメントにより、カウント数Ｎと誤認基準回数Ｃとが一致すると（図１８：ステップＳ５１１／Ｎｏ）、照合判定部４３ｂは、カウント数Ｎが誤認基準回数Ｃ以上となった旨を動作制御部４３ｃに通知し、動作制御部４３ｃが、認証失敗（認証ＮＧ）の旨を出力する（図１８：ステップＳ５１４）。次いで、動作制御部４３ｃは、登録やり直しを行うか否かを確認する報知を行い、使用者が登録やり直しを選択した場合には（図１８：ステップＳ５１５／Ｙｅｓ）、図１２に示す登録フローに移行する（Ｉ参照）。
【００９６】
使用者が登録やり直しを選択しなかった場合に（図１８：ステップＳ５１５／Ｎｏ）、動作制御部４３ｃは、Ｅｖｅｒｙｏｎｅモードへの切り替えを行うか否かを確認する報知を行う。使用者がＥｖｅｒｙｏｎｅモードへの切り替えを選択した場合は（図１８：ステップＳ５１６／Ｙｅｓ）、図１７のステップＳ４０４に移行し（VIII参照）、動作制御部４３ｃが、Ｅｖｅｒｙｏｎｅモード設定を読み出して、Ｅｖｅｒｙｏｎｅモードでの制御を開始する。使用者がＥｖｅｒｙｏｎｅモードへの切り替えを選択しなかった場合に（図１８：ステップＳ５１６／Ｎｏ）、動作制御部４３ｃは、加熱調理器６１Ｅの電源をオフにする（図１８：ステップＳ５１７）。
【００９７】
本変形例４の加熱調理器６１Ｅでは、使用者に認証結果をセルフチェックさせる機能を設けたことから、生体認証の正誤を確認する機会を使用者に提供することができるため、認証部５の汚れ等に起因した誤検知の可能性を低減させ、誤検知に基づく誤動作によって生じる使用者の再設定の手間及び作業効率の低下を低減することができる。
【００９８】
なお、本変形例４では、セルフチェック機能の比較データとして、検出ポイントの適合率を用いた動作を説明したが、セルフチェック機能の比較データとしては、イメージセンサ４０がレンズ３９を介して結像させた使用者の像の光の明暗、又は画像情報検出部１５が検出した画像情報等を用いるようにしてもよい。
【００９９】
〈変形例５〉
本発明の実施の形態１に係る加熱調理器の変形例５を、図１９に基づいて説明する。図１９は、本変形例５の限定モード処理を示すフローチャートである。本変形例５の加熱調理器６１Ｆは、上述した変形例３における個人モードとＥｖｅｒｙｏｎｅモードとの設定モード切替機能に加えて、使用者が、個人モード又はＥｖｅｒｙｏｎｅモードを限定して利用できる設定モード限定機能を有する点に特徴がある。すなわち、個人モードに限定された個人Ｏｎｌｙモードと、Ｅｖｅｒｙｏｎｅモードに限定されたＥｖｅｒｙｏｎｅ  Ｏｎｌｙモードとを有している。加熱調理器６１Ｆにおいて、加熱調理器６１と同一の構成部材には同一の符号を用いるものとする。
【０１００】
ここで、モード限定機能を有する本変形例５における加熱調理器６１Ｆの動作を、図１９に基づいて説明する。使用者が上面主電源スイッチ７ａ又は前面主電源スイッチ７ｂをオンして制御部１７等に電力が供給されると（図１９：ステップＳ６０１）、制御部１７が、限定モードの設定を促すガイドを出力し（図１９：ステップＳ６０２）、使用者がモードの選択を実行する（図１９：ステップＳ６０３）。ここで、使用者が、Ｅｖｅｒｙｏｎｅ  Ｏｎｌｙモードを選択した場合に、制御部１７は、Ｅｖｅｒｙｏｎｅモードと判断し（図１９：ステップＳ６０４）、図１７のステップＳ４０４及びＳ４０５と同様に、予め登録情報記憶部４５ａに登録されているＥｖｅｒｙｏｎｅモード用の設定データを読み出し（図１９：ステップＳ６０８）、Ｅｖｅｒｙｏｎｅモードの設定情報に基づいて加熱調理器６１Ｆの制御を開始する（図１９：ステップＳ６０９）。また、制御部１７は、メニュー画面において、モード設定変更を促す表示をしないように制御する。
【０１０１】
使用者によって個人Ｏｎｌｙモードが選択された場合に、制御部１７は、個人モードと判断し（図１９：ステップＳ６０５）、図１１のステップＳ１０２に移行して（Ｖ参照）使用者を特定し、登録情報記憶部４５ａに登録されている個別の設定内容に基づいて個別制御を開始する。制御部１７は、メニュー画面において、モード設定変更を促す表示をしないように制御する。
【０１０２】
使用者によって切替可能モードが選択された場合に（図１９：ステップＳ６０６）、制御部１７は、加熱調理器６１ＦをＥｖｅｒｙｏｎｅモードと個人モードのどちらで使用するかの確認を促し（図１９：ステップＳ６０７）、使用者によってＥｖｅｒｙｏｎｅモードが選択された場合には（図１９：ステップＳ６０７／Ｙｅｓ）、上記同様にＥｖｅｒｙｏｎｅモードの設定情報に基づいて加熱調理器６１Ｆの制御を開始する（図１９：ステップＳ６０８、Ｓ６０９）。一方、使用者によって個人モードが選択された場合には（図１９：ステップＳ６０７／Ｎｏ）、図１１のステップＳ１０２へと移行し（Ｖ参照）、個別の設定内容に基づく加熱調理器６１Ｆの個別制御を開始する。
【０１０３】
上記各設定モードでの加熱調理器６１Ｆの使用中において、使用者は、メニュー画面に表示された限定モード変更を選択することにより、限定モードを切り替えることができる。すなわち、使用者によって限定モード変更が選択されると、制御部１７は、限定モードを変更するか否かの確認を使用者に促し、使用者が限定モードの変更を選択すると（図１９：ステップＳ６１０／Ｙｅｓ）、ステップＳ６０２に戻って限定モードの変更処理を実行する。一方、使用者が限定モード不変を選択すると（図１９：ステップＳ６１０／Ｎｏ）、制御部１７は、使用者が限定モード変更を選択する前の設定により、加熱調理器６１Ｆの制御を継続する（図１９：ステップＳ６１１）。
【０１０４】
本変形例５の加熱調理器６１Ｆは、設定モードを限定する機能を有するため、使用者が電源をオンした際に、毎回、使用する設定モードを選択するという作業が不要となるため、特に、個人モード又はＥｖｅｒｙｏｎｅモードの何れか一方を限定的に利用する使用者の煩わしさを排除することができる。
【０１０５】
［実施の形態２］
図２０は、本発明の実施の形態２に係る加熱調理器６２の上面を示す概略図である。加熱調理器６２は、画像情報検出部が、調理器本体１に複数個配置されていることを特徴とする。加熱調理器６２において、上記実施の形態１の加熱調理器６１と同一の構成部材には同一の符号を用いるものとする。
【０１０６】
図２０に示すように、加熱調理器６２の調理器本体１には、複数の画像情報検出部１５ａ〜１５ｄが配置されている。したがって、認証データ生成部１６は、複数の画像情報検出部１５ａ〜１５ｄの各々から取得した画像情報を組み合わせて認証用データを生成するように構成されている。すなわち、認証データ生成部１６が、複数の画像情報の特徴点を抽出して組み合わせた情報から認証用データを生成し、制御部１７が、認証データ生成部１６において生成された認証用データをもとに使用者を特定するように構成されている。複数の画像情報検出部１５ａ〜１５ｄの上部には、それぞれ、複数の認証窓３８ａ〜３８ｄが設けられている。図２０には、４つの画像情報検出部１５ａ〜１５ｄが、ガラス板２ａの四隅に配置された場合を例示しているが、画像情報検出部の数及び配置は、任意に変更することができる。
【０１０７】
ここで、加熱調理器６２による個人認証に関する動作を説明する。加熱調理器６２の前に使用者が立ち、上面主電源スイッチ７ａ又は前面主電源スイッチ７ｂがオンされると、制御部１７に対して電源部１４から所定の電力が供給され、制御部１７が起動して制御動作を開始する。次に、複数の画像情報検出部１５ａ〜１５ｄは、それぞれに設けられているレンズ３９及びイメージセンサ４０によって撮影した画像情報を認証データ生成部１６に伝達する。認証データ生成部１６は、複数の画像情報検出部１５ａ〜１５ｄの各々から伝達された複数の画像情報から特徴点（検出ポイント）を抽出し、認証用データとしてデータ化して制御部１７に送信する。制御部１７は、上記実施の形態１と同様に認証確認を実行する。また、使用者によってメニュー画面が操作され、認証情報の変更が選択された場合にも、同様に認証用データの生成が行われる。
【０１０８】
以上のように、本実施の形態２の加熱調理器６２では、使用者の画像情報を検出する画像情報検出部が、調理器本体１に複数個配置されている。このため、加熱調理器６２によれば、認証データ生成部１６が、複数の画像情報検出部１５ａ〜１５ｄにおいて検出された複数の画像情報を用いて、精度よく認証用データを生成することができるため、個人認証の確度を向上させ、誤認識の可能性を低減することができる。
【０１０９】
［実施の形態３］
図２１は、本発明の実施の形態３に係る加熱調理器６３の上面を示す概略図である。図２２は、加熱調理器６３が有する認証部５Ａの内部構成を示す概略図である。すなわち、加熱調理器６３は、認証窓３８Ａが調理器本体１の奥側から手前側に広く開口し、レンズ３９及びイメージセンサ４０が調理器本体１の奥側に配置されていることを特徴とする。加熱調理器６３において、上記実施の形態１の加熱調理器６１と同一の構成部材には同一の符号を用いるものとする。
【０１１０】
加熱調理器６３では、図２１及び図２２に示すように、画像情報検出部１５Ａの上部に設けられた認証窓３８Ａが、調理器本体１の奥側から手前側に広く開口している。また、レンズ３９とイメージセンサ４０とが、画像情報検出部１５Ａ内の調理器本体１の奥側に配置されている。
【０１１１】
以上のように、認証窓３８Ａの開口を手前に広げ、レンズ３９とイメージセンサ４０とが調理器本体１の奥側に設置された加熱調理器６３によれば、レンズ３９の視野を広げることができるため、画像情報検出部１５Ａが、認証用データの生成用の画像情報を、高精度にかつ容易に検出することができる。
【０１１２】
なお、図２１では、認証窓３８Ａを扇型としているが、認証窓３８Ａの形状は、レンズ３９の視野を広げることができる形状であればよく、例えば、長方形、台形、又は円形等であってもよい。また、図２１には、認証窓３８Ａ及び認証部５Ａが、ガラス板２ａの奥側の角に配置された例を示しているが、認証窓３８Ａ及び認証部５Ａの配置場所は、任意に設定してもよい。
【０１１３】
［実施の形態４］
図２３は、本発明の実施の形態４に係る加熱調理器６４の上面を示す概略図である。図２４は、加熱調理器６４における認証部５Ｂの内部構成のうち、収納時の様子を示す概略図である。図２５は、加熱調理器６４おける認証部５Ｂの内部構成のうち、認証時の様子を示す概略図である。すなわち、加熱調理器６４は、調理器本体１の右吸気口３２Ｒに隣接する位置に設けられている。また、画像情報検出部１５Ｂは、レンズ３９及びイメージセンサ４０を内包する格納部４２を有しており、格納部４２が認証時にのみ露出するという構成を採っている。加熱調理器６３において、上記実施の形態１の加熱調理器６１と同一の構成部材には同一の符号を用いるものとする。
【０１１４】
加熱調理器６４では、図２３に示すように、画像情報検出部１５Ｂが、調理器本体１の右吸気口３２Ｒの近傍のフレーム下に設けられている。また、制御部１７は、認証部５Ｂが認証用データを生成する際に、画像情報検出部１５Ｂのレンズ３９及びイメージセンサ４０を内包する格納部４２が、調理器本体１の上面に露出するように制御する。
【０１１５】
より具体的に、画像情報検出部１５Ｂは、使用者の像を結像させるレンズ３９及びレンズ３９によって結像された像を電気信号に変換して画像情報を検出するイメージセンサ４０を内包する格納部４２と、格納部４２を駆動する駆動部（図示せず）と、を有している。制御部１７は、画像情報検出部１５Ｂが画像情報を検出する際に、レンズ３９及びイメージセンサ４０による検出範囲が調理器本体１の手前側の斜め上方となるように、格納部４２を調理器本体１の上面から露出させる露出指令信号を駆動部に送信するものである。また、制御部１７は、使用者の認証確認が完了した際に、格納部４２を調理器本体１内に収納させる収納指令信号を駆動部に送信するものである。すなわち、駆動部は、制御部１７から送信される露出指令信号又は収納指令信号に従って格納部４２を駆動するものである。
【０１１６】
ここで、加熱調理器６３による個人認証に関する動作を説明する。加熱調理器６３の前に使用者が立ち、上面主電源スイッチ７ａ又は前面主電源スイッチ７ｂがオンされると、制御部１７に対して電源部１４から所定の電力が供給され、制御部１７が起動して制御動作を開始する。次いで、制御部１７は、図２５に示すように、格納部４２を調理器本体１から露出させる。
【０１１７】
次に、画像情報検出部１５Ｂは画像情報を検出し、認証データ生成部１６は、画像情報検出部１５Ｂにおいて検出された画像情報をもとに認証用データを生成する。続いて、制御部１７は、上記実施の形態１と同様に認証確認を実行する。認証確認を完了すると、制御部１７は、図２４に示すように、格納部４２を調理器本体１内に収納する。
【０１１８】
また、使用者によってメニュー画面が操作され、認証情報の変更が選択された場合にも、制御部１７は、格納部４２を調理器本体１から露出させ、画像情報検出部１５Ｂによって検出された画像情報をもとに認証用データを生成させる。続いて、認証情報の変更作業が完了した時点で、制御部１７は、格納部４２を調理器本体１内に収納する。すなわち、電源オフ時又は認証完了後において加熱調理器６３が駆動している間は、格納部４２を含む画像情報検出部１５Ｂが調理器本体１内に収納されているため、画像情報検出部１５Ｂは、上面からは確認できない構成となっている。
【０１１９】
以上のように、本実施の形態４の加熱調理器６３は、認証時において、画像情報検出部１５Ｂの格納部４２が、調理器本体１の上面よりも上に位置するように構成したため、画像情報検出部１５Ｂの視野が広がることから、使用者の画像情報の検出が容易となる。また、加熱調理器６３は、認証時以外において、画像情報検出部１５Ｂが調理器本体１に収納されるように構成したため、画像情報検出部１５Ｂに油膜等の汚れが付着することを軽減できる。このため、画像情報検出部１５Ｂによる画像情報の検出精度を長期に亘って維持することができ、結果として、個人認証の制度の向上を図ることができる。さらに、電源オフ時又は調理中には、画像情報検出部１５Ｂが外部から見えないように構成されているため、デザイン性に富んだ加熱調理器を提供することができる。
【０１２０】
なお、図２３には、画像情報検出部１５Ｂが右吸気口３２Ｒの近傍の金属フレーム下に設けた例を示しているが、画像情報検出部１５Ｂは、左吸気口３２Ｌ又は排気口３３に隣接する位置に配置してもよい。また、画像情報検出部１５Ｂは、例えばガラス板２ａ又は上面操作部３等に設けてもよい。さらに、認証データ生成部１６は、図２４及び図２５に示すように、画像情報検出部１５Ｂと一体化して構成してもよいが、画像情報検出部１５Ｂと認証データ生成部１６とを異なる場所に分離して配置してもよい。
【０１２１】
［実施の形態５］
図２６は、本発明の実施の形態５に係る加熱調理器６５の上面を示す概略図である。加熱調理器６５は、利用者を示す認証用データを生成する認証部５Ｃが、上面操作部３に設けられていることを特徴とする。本実施の形態５の加熱調理器６５において、上記実施の形態１の加熱調理器６１と同一の構成部材には同一の符号を用いるものとする。
【０１２２】
加熱調理器６５の認証部５Ｃは、図２６に示すように、上面操作部３の飾り枠２６内に配置されている。認証部５Ｃは、上面操作部３の左端部に設けられた認証窓３８Ｃの下方に配置され、上記実施の形態１の加熱調理器６１と同様に、画像情報検出部１５と認証データ生成部１６とからなる。
【０１２３】
図２６では、認証部５が調理器本体１の上面に位置する上面操作部３に設けられた例を示しているが、認証部５は、調理器本体１の前面に位置する前面操作部４に設けるようにしてもよい。また、図２６には、認証部５Ｃが上面操作部３の左端部に設けられた例を示しているが、認証部５は、例えば上面操作部３の右端部に設けるようにしてもよい。さらに、認証部５が２つの画像情報検出部１５を有するようにし、上面操作部３と前面操作部４とにそれぞれ画像情報検出部１５が配置される構成を採ってもよい。そして、認証データ生成部１６が、２つの画像情報検出部１５の各々において検出された画像情報を組み合わせて認証用データを生成するようにしてもよい。
【０１２４】
本実施の形態５では、加熱調理器６５の上面操作部３又は前面操作部４に認証部５Ｃを配置するという構成を採ったため、認証部５Ｃを上面操作部３又は前面操作部４と同一の基板（操作部用の基板等）に設置することができ、基板、配線、及び部品数の削減を図ることができる。また、上記基板の共通化により、認証部５Ｃ及び上面操作部３又は前面操作部４への電力供給を一括して行うことができる。さらに、認証部５Ｃ及び上面操作部３又は前面操作部４に対する冷却処理等も一括して行うことができる。
［実施の形態６］
図２７は、本発明の実施の形態６に係る加熱調理器６６と共に、調理器本体１から分離して設けられた画像情報検出部１５Ｄによって画像情報を検出するイメージを示す概略図である。加熱調理器６６では、画像情報検出部１５Ｄが、調理器本体１から分離されていることを特徴とする。本実施の形態６の加熱調理器６６において、上記実施の形態１の加熱調理器６１と同一の構成部材には同一の符号を用いるものとする。
【０１２５】
加熱調理器６６は、図２７に示すように、画像情報検出部１５Ｄが、調理器本体１から分離され、かつ調理器本体１よりも高い位置に設けられている。加熱調理器６６において、画像情報検出部１５Ｄは、調理器本体１内に設けられた認証データ生成部１６と、有線又は無線によって接続されている。有線接続の場合は、調理器本体１から延長された電源コード等により、認証データ生成部１６と画像情報検出部１５Ｄとを接続する。無線接続の場合は、画像情報検出部１５Ｄが、内部に駆動用電源として電池又は充電機能等を持ち、画像情報の検出及び画像情報の転送を行うように構成する。
【０１２６】
図２７では、画像情報検出部１５Ｄが、調理器本体１の奥側の使用者に対向する壁面に配置された例を示す。画像情報検出部１５Ｄの取り付け場所は、使用者の像を結像できる場所であればよく、すなわち、画像情報検出部１５Ｄは、調理器本体１の側壁又はキッチンカウンターの上部等の任意の箇所に取り付けることができる。
【０１２７】
本実施の形態６の加熱調理器６６では、画像情報検出部１５Ｄが、調理器本体１から分離して配置されている。すなわち、加熱調理器６６によれば、画像情報を検出する画像情報検出部１５Ｄを、調理器本体１から離れた任意の箇所に配置することができる。このため、画像情報検出部１５に付着する油膜等の汚れを軽減することができることから、画像情報の検出精度を長期に亘って維持することができる。また、例えば、使用者の目線の高さに合わせて画像情報検出部１５Ｄを設置した場合に、画像情報検出部１５Ｄは、使用者の顔面等を正面から捉えることができる。このため、画像情報検出部１５Ｄが、使用者の画像情報を精度よく検出することができ、認証精度の向上を図ることができる。
【０１２８】
［実施の形態７］
図２８は、本発明の実施の形態７に係る加熱調理器６７と共に、換気扇８０に設けられた画像情報検出部１５Ｅによって画像情報を検出するイメージを示す概略図である。加熱調理器６７では、画像情報検出部１５Ｅが、キッチンに設けられた換気扇８０の使用者に対向する位置に設置されていることを特徴とする。本実施の形態７の加熱調理器６７において、上記実施の形態１の加熱調理器６１と同一の構成部材には同一の符号を用いるものとする。
【０１２９】
加熱調理器６７は、図２８に示すように、画像情報検出部１５Ｅが、調理器本体１から分離され、かつ調理器本体１よりも高い位置に設けられた換気扇８０に配置されている。すなわち、画像情報検出部１５Ｅは、調理器本体１の上方に設けられた換気扇８０に配置され、かつ調理器本体１の手前側の斜め下方を検出範囲とするように配置されている。加熱調理器６７では、画像情報検出部１５Ｅの駆動用電源として、換気扇８０に供給される電源を用いるように構成されている。例えば、加熱調理器６７に電源が供給されると、連動して換気扇８０に電源が供給され、換気扇８０に供給された電源により画像情報検出部１５Ｅが駆動するように構成することができる。
【０１３０】
画像情報検出部１５Ｅは、調理器本体１内に設けられた認証データ生成部１６と無線通信を行うことができる。すなわち、画像情報検出部１５Ｅは、検出した使用者の画像情報を認証データ生成部１６に無線で転送するものである。
【０１３１】
本実施の形態７の加熱調理器６７によれば、画像情報検出部１５Ｅが、換気扇８０に供給される電源を、駆動用電源として共用することができるため、画像情報検出部１５Ｅの構成を簡素化することができ、基板、配線、又は部品数の削減を図ることができる。
【０１３２】
［実施の形態８］
本実施の形態８の加熱調理器６８は、携帯電話又はタブレット端末といった外部機器との間で通信を行う通信部（通信手段）を備え、遠隔地からの制御を可能とした点に特徴がある。加熱調理器６８において、上述した実施の形態１〜７の加熱調理器と同一の構成部材には同一の符号を用いるものとする。
【０１３３】
図２９は、加熱調理器６８における外部通信手段のイメージを示す概略図である。図２９に示すように、加熱調理器６８は、携帯端末９１やタブレット端末９２とのデータ通信を行う通信部（図示せず）を有している。このため、登録された個人が、利用中の加熱調理器６８の操作を遠隔地から抑制（強制停止又は火力制御等）することができ、さらに、加熱調理器６８の使用者又は利用状況を遠隔地から確認することができる。すなわち、動作制御部４３ｃは、携帯端末９１等の外部機器から通信部を介して取得した制御信号に基づいて動作する機能を有している。
【０１３４】
また、登録する個人情報として管理者権限を付加する機能を設け、管理者権限を付加された管理者が、記憶部４５に記憶された情報を管理できるように構成してもよい。管理者には、例えば、登録者又は登録者の個別制御情報の内容の確認、登録内容の変更、加熱調理器６８の遠隔操作を行うといった権限が与えられる。管理者が、利用状況を確認したい対象者（子供又は高齢者等）を予め登録しておくことで、対象者が加熱調理器６８を起動した場合に、加熱調理器６８の動作状況が管理者の通信機器へ自動的に配信されるように構成してもよい。また、記憶部４５には、複数の管理者のデータが、登録認証データに関連づけて記憶されていてもよい。加えて、通信部が、電源部１４から一定期間電力が供給されなかった場合に、管理者又は予め特定された使用者の通信機器に向けて一定期間電力が供給されなかった旨の信号を発信するようにしてもよい。
【０１３５】
本実施の形態８の加熱調理器６８は、管理者によって特定された管理対象者を記録しておくことができるため、管理者は、管理対象者による加熱調理器６８の利用状況といった必要な情報を入手し、温度設定などの変更を適宜実行することができる。また、管理者のみが遠隔地操作を行えるように構成したため、不適切な外部アクセスを排除することができる。さらに、上面主電源スイッチ７ａ又は前面主電源スイッチ７ｂが一定期間オンされず、電源部１４から一定期間電力が供給されなかった場合に、通信部が、管理者又は予め特定された使用者の通信機器に向けて加熱調理器６８が動作していない旨を送信するという構成により、通常は加熱調理器６８を毎日使用する一人暮らしの高齢者等が、加熱調理器を一定期間以上使用しなかった場合に、管理者が高齢者等の異変を迅速に認識することができるため、高齢者の突然の発作などに対して迅速に対処することができる。
【０１３６】
［実施の形態９］
本実施の形態９の加熱調理器６９は、ホームネットワークシステムに接続され、ホームネットワークシステムの一構成として機能する点に特徴がある。加熱調理器６９において、上述した実施の形態１〜８の加熱調理器と同一の構成部材には同一の符号を用いるものとする。
【０１３７】
図３０は、本発明の実施の形態９に係る加熱調理器６９におけるホームネットワークシステムのイメージを示す概略図である。加熱調理器６９は、他のホームネットワークシステムに接続される家電機器と連動して制御されるものである。図３０では、使用者Ｕが在住する家１５０に配設された集中コントローラ１００に、加熱調理器６９と、ＰＣ１２０と、ＴＶ１３０と、モニタ１４１と、バス用モニタ１４２と、が接続されている様子を示す。加熱調理器６９は、外部機器との接続によりネットワークを構築する集中コントローラ１００を介して外部機器との通信を行う通信部を有するものであり、動作制御部４３ｃは、外部機器から通信部を介して取得した制御信号に基づいて動作する機能を有している。したがって、使用者等は、携帯端末９１やタブレット端末９２により、集中コントローラ１００を介して加熱調理器６９を管理することができる。なお、集中コントローラ１００には、加熱調理器６９の上方に位置する換気扇、エアコン、冷蔵庫なども接続することができる。したがって、例えば、使用者等から携帯端末９１等を介して送信される制御信号により、加熱調理器６９と換気扇とを同時に起動させるといった動作を実現することができる。
【０１３８】
本実施の形態９の加熱調理器６９によれば、加熱調理器６９の使用者や加熱調理器６９の利用状況をホームネットワークに送信し、家庭内で利用状況に関する情報を共有することができる。したがって、低学年の児童等が加熱調理器６９を利用し始めたといった状況を遠隔地から把握することができるため、加熱調理器６９の動作状況を確認するために定期的に帰宅するといった行動が不要となる。また、本実施の形態９では、加熱調理器６９をホームネットワークシステムに組み込むという構成を採ったため、電力を家全体で一括して管理することができる。すなわち、電力使用量が大きい時は、加熱調理器６９の高電力を投入する機能を制限したり、使用者に電力使用状況を報知したりすることができる。さらに、加熱調理器６９によれば、電力配給方法(送電力、蓄電池、太陽光の家庭発電装置、電気自動車等)の切り替え、又は自然災害及び火事等の緊急事態における強制停止などが一括して実施されるため、個別に制御する必要がなくなるという利点がある。
【０１３９】
なお、上述した各実施形態は、加熱調理器における好適な具体例であり、技術的に好ましい種々の限定を付している場合もあるが、本発明の技術的範囲は、特に本発明を限定する記載がない限り、これらの態様に限定されるものではない。例えば、上記各実施形態では加熱口が３つの場合を例示したが、本発明はこれに限るものではない。例えば、トッププレート２にさらに１つ以上の加熱口を設ける構成としてもよいし、トッププレート２に１つ又は２つの加熱口を設ける構成としてもよい。また、複数の加熱口のうちの任意の加熱口に採用する熱源として、電磁誘導コイルではなく、輻射型熱源となる電気ヒータ（例えばニクロム線、ハロゲンヒータ、又はラジェンドヒータ等）を用いるようにしてもよい。加えて、複数の加熱口を横方向に一列に配置する構成を採ってもよい。
【符号の説明】
【０１４０】
１  調理器本体、２  トッププレート、２ａ ガラス板、２ｂ  金属の枠体、３  上面操作部、４  前面操作部、５、５Ａ、５Ｂ、５Ｃ  認証部、６  グリル庫、７ａ  上面主電源スイッチ、７ｂ  前面主電源スイッチ、８〜１０  加熱部、１１ａ、１１ｂ、１２  温度センサ、１３  温度検出装置、１４  電源部、１５、１５ａ〜１５ｄ、１５Ａ、１５Ｂ、１５Ｄ、１５Ｅ  画像情報検出部、１６  認証データ生成部、１７  制御部、１８  インバータ回路、１９  情報出力部、２０  表示駆動回路、２１  表示部、２２  音声合成装置、２３  スピーカ、２４Ｒ  右加熱口、２４Ｌ  左加熱口、２４Ｍ  中央後方加熱口、２６  飾り枠、２７  メイン操作部、２８Ｒ  右ＩＨ操作部、２８Ｌ  左ＩＨ操作部、２８Ｍ  中央後方ＩＨ操作部、２８Ｇ  グリル操作部、２９  メイン表示部、３０Ｒ  右ＩＨ火力表示部、３０Ｌ  左ＩＨ火力表示部、３０Ｍ  中央ＩＨ火力表示部、３１Ｒ  右表示部、３１Ｌ  左表示部、３１Ｍ  中央表示部、３２Ｒ  右吸気口、３２Ｌ  左吸気口、３３  排気口、３４  グリル扉、３５  視認窓、３６  グリル把持部、３７  グリルヒータ駆動回路、３８、３８ａ〜３８ｄ、３８Ａ、３８Ｃ  認証窓、３９  レンズ、４０  イメージセンサ、４１  認証情報転送回路、４２  格納部、４３  ユーザＩ／Ｆ制御部、４３ａ  操作処理部、４３ｂ  照合判定部、４３ｃ  動作制御部、４４  加熱制御部、４５  記憶部、４５ａ  登録情報記憶部、４５ｂ  操作履歴記憶部、６１、６１Ａ〜６１Ｆ、６２〜６９  加熱調理器、７０  商用電源、８０  換気扇、９１  携帯電話、９２  タブレット端末、１００  集中コントローラ、１２０  ＰＣ、１３０  ＴＶ、１４１  モニタ、１４２  バス用モニタ、１５０  家、Ｕ  使用者。
【図１】
2016128733.tif 000003
【図２】
2016128733.tif 000004
【図３】
2016128733.tif 000005
【図４】
2016128733.tif 000006
【図５】
2016128733.tif 000007
【図６】
2016128733.tif 000008
【図７】
2016128733.tif 000009
【図８】
2016128733.tif 000010
【図９】
2016128733.tif 000011
【図１０】
2016128733.tif 000012
【図１１】
2016128733.tif 000013
【図１２】
2016128733.tif 000014
【図１３】
2016128733.tif 000015
【図１４】
2016128733.tif 000016
【図１５】
2016128733.tif 000017
【図１６】
2016128733.tif 000018
【図１７】
2016128733.tif 000019
【図１８】
2016128733.tif 000020
【図１９】
2016128733.tif 000021
【図２０】
2016128733.tif 000022
【図２１】
2016128733.tif 000023
【図２２】
2016128733.tif 000024
【図２３】
2016128733.tif 000025
【図２４】
2016128733.tif 000026
【図２５】
2016128733.tif 000027
【図２６】
2016128733.tif 000028
【図２７】
2016128733.tif 000029
【図２８】
2016128733.tif 000030
【図２９】
2016128733.tif 000031
【図３０】
2016128733.tif 000032